(57)【特許請求の範囲】
【請求項１】
所定の設置部位に設置される外枠と、
該外枠に装着される遊技機本体と、
該遊技機本体の所定の部位に固定状態で配置されると共に、表裏面部を貫通する孔状の主経路案内手段、及び、表裏面部を貫通する孔状の副経路案内手段を備える経路案内部材と、
共に前記経路規案内部材の表面部側において動作可能な状態に配置される主可動部及び副可動部と、前記経路案内部材の裏面部側に配置される一の駆動手段と、を有する可動演出装置と、
を備える遊技機であって、
前記可動演出装置は、
前記主経路案内手段に挿通されつつ、前記主経路案内手段が形成する主経路に沿って移動可能とされる主挿通部と、前記経路案内部材の裏面部側において前記駆動手段に直接的に、若しくは、伝達手段を介して間接的に連結される駆動連結部と、前記経路案内部材の表面部側において前記主可動部に対して一体で動作可能な状態に連結される可動連結部と、を有する主軸体部と、
前記副可動部に対して一体で動作可能な状態に装着されつつ、前記主可動部によって回転可能な状態に支持される副軸体部と、
前記副軸体部に対して前記経路案内部材の表面部側で連結され、前記副軸体部と一体で動作可能とされると共に、前記副経路案内手段に挿通されつつ、前記副経路案内手段が形成する副経路に沿って移動可能とされる副挿通部を有する作動片部と、
を備え、
前記副挿通部の軸心が前記副軸体部の軸心に対して位置ずれを生じた箇所に配設され、
前記主経路と前記副経路との間で、経路長、経路の形成方向、経路の形状、及び、経路の曲率のうちの少なくとも何れかが異なることを特徴とする遊技機。
【請求項２】
所定の設置部位に設置される外枠と、
該外枠に装着される遊技機本体と、
該遊技機本体の所定の部位に固定状態で配置されると共に、表裏面部を貫通する孔状、表面部で開口する溝状若しくは表面部から突出する突起状に形成される主経路案内手段、及び、表裏面部を貫通する孔状、表面部で開口する溝状若しくは表面部から突出する突起状に形成される副経路案内手段を備える経路案内部材と、
共に前記経路規案内部材の表面部側において動作可能な状態に配置される主可動部及び副可動部と、前記主可動部の駆動源を構成する一の駆動手段と、を有する可動演出装置と、
を備える遊技機であって、
前記可動演出装置は、
前記主経路案内手段に対して摺動可能な状態に配置されつつ、前記主経路案内手段が形成する主経路内を移動可能とされる主摺動部と、前記駆動手段に対して直接的に、若しくは、所定の伝達手段を介して間接的に連結される駆動連結部と、前記主可動部に対して一体で動作可能な状態に連結される可動連結部と、を有する主軸体部と、
前記副可動部に対して一体で動作可能な状態に装着されつつ、前記主可動部によって回転可能な状態に支持される副軸体部と、
前記副軸体部に対して前記経路案内部材の表面部側で一体化され、前記副軸体部と一体で動作可能とされると共に、前記副経路案内手段に対して摺動可能な状態に配置されつつ、前記副経路案内手段が形成する副経路内を移動可能とされる副摺動部と、を有する作動片部と、
を備え、
前記副摺動部の軸心が前記副軸体部の軸心に対して位置ずれを生じた箇所に配設され、
前記主経路と前記副経路との間で、経路長、経路の形成方向、経路の形状、及び、経路の曲率のうちの少なくとも何れかが異なることを特徴とする遊技機。
【請求項３】
所定の設置部位に設置される外枠と、
該外枠に装着される遊技機本体と、
該遊技機本体の所定の部位に固定状態で配置されると共に、主経路案内手段及び副経路案内手段を備える経路案内部材と、
共に前記経路規案内部材の表面部側において動作可能な状態に配置される主可動部及び副可動部と、前記主可動部の駆動源を構成する一の駆動手段と、を有する可動演出装置と、
を備える遊技機であって、
前記可動演出装置は、
前記主可動部の裏面部から突出して前記主可動部と一体で動作可能とされると共に、前記駆動手段に対して直接的に、若しくは、所定の伝達手段を介して間接的に連結される駆動連結部と、前記主経路案内手段に対して摺動可能な状態に配置されつつ、前記主経路案内手段が形成する主経路内を移動可能とされる主摺動部と、を有する主軸体部と、
前記副可動部の裏面部から突出して前記副可動部と一体で動作可能とされると共に、前記主可動部によって回転可能な状態に支持される副軸体部と、
前記副軸体部に対して前記経路案内部材の表面部側で一体化され、前記副軸体部と一体で動作可能とされると共に、前記副経路案内手段に対して摺動可能な状態に配設されつつ、前記副経路案内手段が形成する副経路内を移動可能とされる副摺動部と、を有する作動片部と、
を備え、
前記副摺動部の軸心が前記副軸体部の軸心に対して位置ずれを生じた箇所に配設され、
前記主経路と前記副経路との間で、経路長、経路の形成方向、経路の形状、及び、経路の曲率のうちの少なくとも何れかが異なることを特徴とする遊技機。
【請求項４】
前記副可動部を複数個備えると共に、
個々の副可動部に対応する、前記副軸体部と、前記作動片部とを備えることを特徴とする請求項１〜３の何れか一項に記載の遊技機。
【請求項５】
前記経路案内部材には補助案内手段が設けられ、前記可動演出装置は前記主可動部と一体で動作可能な補助軸体部を前記主可動部の裏面部から突出する状態に備え、
前記補助軸体部は、前記補助案内手段に対して摺動可能な状態に配置されつつ、前記補助案内手段が形成する補助経路内を移動可能とされる補助摺動部を備えることを特徴とする請求項１〜４の何れか一項に記載の遊技機。
【請求項６】
前記経路案内部材は、前記可動演出装置を前記遊技機本体に取り付けるための取付部材を構成することを特徴とする請求項１〜５の何れか一項に記載の遊技機。
【発明の詳細な説明】
【技術分野】
【０００１】
本発明は、いわゆるセブン機、羽根物、権利物又はアレンジボール等の弾球遊技機や、スロットマシン等のコイン式遊技機（回胴式遊技機）などの遊技機に関する。
【背景技術】
【０００２】
例えば、セブン機では、始動入賞手段（始動口）と、遊技機の遊技状態を通常遊技状態から大当り遊技状態（つまり、特別遊技状態）に移行させるか否かの判定（以下、「当否判定」ということがある。）を行う判定手段と、この判定の結果を示す判定結果図柄の確定表示等を行う図柄表示手段（例えば、液晶表示装置等によって構成）と、可変入賞装置（つまり、大入賞装置）と、を遊技盤の前面部側に備えている。
【０００３】
尚、可変入賞装置（大入賞装置）は、通常、入賞部（可変入賞装置への遊技球の入口となる部分であって、一般には、大入賞口と称されている。）と、「当該入賞部を閉鎖する閉鎖姿勢」及「当該入賞部を開放する開放姿勢」の間で適宜、姿勢変更を行って「当該入賞部の開閉（つまり、単位駆動）」を行う開閉部材と、当該入賞部を通じて入賞した遊技球を検出するための入賞球検出手段（入賞球検出スイッチ）と、を具備している。そして、「通常遊技状態」とは、例えば、「入賞部の閉鎖状態を継続する遊技状態」を指し、「大当り遊技状態」とは、例えば、「入賞部の開放状態を実現させる遊技状態」を指す。
【０００４】
このセブン機では、「始動入賞手段への遊技球の入賞（以下、「始動入賞」という。）」を検出することを前提として、前述の「判定」の実行条件（つまり、判定実行条件）が成立する。更に、この「判定の結果を示す図柄（判定結果図柄）」の表示実行条件が成立すると、図柄表示手段において、先ず、演出表示が実行される。この演出表示は、（１）複数のランプ装置を順次（交互に）点灯させる点灯表示やランプ装置を用いた点滅表示を利用した変動表示、（２）複数の識別図柄（つまり、特別図柄）を順次、循環表示させて行う変動表示、等によって実行される。そして、この演出表示を所定の変動時間行った後に、図柄表示手段において、判定結果図柄が確定表示（停止表示）される。
【０００５】
この判定結果図柄が、大当り図柄（判定結果が大当りであったことを示す図柄）である場合、遊技機の遊技状態が「通常遊技状態」から「大当り遊技状態（特別遊技状態）」に移行する。そして、遊技機の遊技状態が「大当り遊技状態（特別遊技状態）」に移行すると、開閉部材に、所定の回数（所謂、「ラウンド数」であって、例えば、１４〜１６回）に渡って「単位駆動」が施される。尚、大当り図柄としては、例えば、（Ａ）１個若しくは複数個のランプ装置を点灯表示して構成される大当り図柄や、（Ｂ）構成図柄をゾロ目状態に表示して構成される大当り図柄（「７，７」や、「７，７，７」等、）等を例示できる。
【０００６】
遊技機の遊技状態が「大当り遊技状態（特別遊技状態）」に移行すると、開閉部材の開放動作を行って、閉鎖状態にある可変入賞装置を開放状態に変化させる。これにより、大入賞口への遊技球の入賞が可能、若しくは、容易となる。この後、この入賞部（大入賞口）に所定個数の遊技球が入賞するか、所定時間が経過することにより、一旦、開閉部材の閉鎖動作を行い、可変入賞装置（大入賞装置）を閉鎖状態とし、開閉部材に施される「１回の単位駆動」を完了する。つまり、開閉部材の姿勢を閉鎖姿勢から開放姿勢に変更し、再び、閉鎖姿勢に戻す、単位駆動を完了する。そして、この「開閉部材の単位駆動」が、所定の回数（所謂、「ラウンド数」）だけ繰り返されると、この遊技機の遊技状態は「大当り遊技状態」から「通常遊技状態」に戻される。
【０００７】
また、この種の遊技機の中には、図柄表示手段に所謂「確率変動図柄」が表示されることに起因して、この図柄表示手段に、その後、「大当り図柄」が表示される確率を高確率（以下、「遊技機の高確率な状態」を、「高確率モード」、「確率変動モード」、「確変モード」、「高確率状態」、「確率変動状態」若しくは「確変状態」等と称することがある。）に変動させるものがある。即ち、遊技機の遊技モードが高確率モードに移行すると、「遊技モードの変更終了条件が成立して遊技機の遊技モードが低確率モード（通常モードの具体例）に戻される迄の間（例えば、次回の大当りを生ずるまで）」、判定手段が大当り判定を行う確率（大当り図柄が表示される確率）が高確率に設定される。
【０００８】
このセブン機に代表される弾球遊技機や、コイン式遊技機等においては、前述の「当否判定の結果を表示するための演出」を盛り上げたり、単に遊技上の演出を盛り上げること等を目的として、遊遊技機本体に「機械的に可動する可動部材を用いて構成される可動演出装置」を配置することがある。更に、このような遊技機の中には、より効果的な演出を実行可能としつつも、可動演出装置のコンパクト化の要請を満足させること等を意図するものがある。
【０００９】
例えば、（ａ）複数の可動部材と、（ｂ）この複数の可動部材の共通の駆動源を構成する「単一の駆動手段（モータ）」と、（ｃ）この「単一の駆動手段（モータ）」により駆動される作動手段と、（ｄ）この作動手段に設けた複数の連繋部と、（ｅ）複数の可動部材に対応して設けられ、作動手段における各連繋部と対応的に連繋する複数の伝達手段と、を備える遊技機が提案されている（特許文献１を参照、以下、「従来例」という。）。そして、この遊技機では、「単一の駆動手段」により作動手段を駆動した際に、複数の連繋部と伝達手段を介して、複数の可動部材に所要の動作を行わせるように構成されている。
【特許文献１】特開２００４−１２９８７５号公報
【発明の開示】
【発明が解決しようとする課題】
【００１０】
ところが、この従来例では、「単一の駆動手段を用いて複数個の可動部材を駆動する機構」を、可動演出装置単独で実現しようとするため、以下のような問題を有している。即ち、この従来例では、単一の駆動手段によって駆動される作動手段に対して、枝分かれ状に複数個の連繋部を設け、個々の連繋部と、末端（駆動力の伝達方向に沿った端末）に位置する個々の可動部材との間に別個の伝達手段を介在させている。そして、駆動手段が起動すると、作動手段が動作し、これに伴い、個々の連繋部と、個々の伝達手段とが動作し、駆動手段で発生する駆動力が、個々の可動部材に負荷される構成を備えている。つまり、この従来例においては、単一の駆動手段で生ずる駆動力を、単一の作動手段と、個々の連繋部と、個々の伝達手段とが、対応する可動部材に一方通行的に伝達する構成を備える。換言すると、この従来例に係る可動演出装置では、各可動部材に駆動力を負荷する機構（以下、「負荷機構」という。）自体に効果的な改良が施されているわけではない。
【００１１】
このため、この可動演出装置においては、単一の駆動手段を駆動源とする個々の可動部材において、独立性の高い動作態様を実現しようとすると、「負荷機構」を、「ギヤ」や「カム」等を利用した「複雑で、部品点数の多い機構」とすることが必要となる。このため、従来例に係る可動演出装置においては、製造上の手間や製造コストが嵩むこととなり易い。また、個々の可動部材毎に複数個、配設されるばかりか、構造が複雑な構成部品（「ギヤ」や「カム」等）を、単一の駆動手段で動作させるものであるため、個々の可動部材の作動が円滑に行われない恐れがある。
【００１２】
本発明は、このような問題を解決するためになされたものであり、その目的とするところは、「単一の駆動手段によって複数の可動部（可動部材）を動作させる可動演出装置」を備える遊技機において、可動演出装置の構造の簡素化を図りつつも、個々の可動部（可動部材）によって独立性の高い動作態様を実現することである。
【００１３】
本発明の他の目的は、「単一の駆動手段によって複数の可動部（可動部材）を動作させる可動演出装置」を備える遊技機において、可動演出装置を構成する部品点数の削減を図ることである。
【００１４】
本発明の更に他の目的は、「単一の駆動手段によって複数の可動部（可動部材）を動作させる可動演出装置」を備える遊技機において、可動演出装置の製造の容易化を図ることである。
【００１５】
本発明の更に他の目的は、「単一の駆動手段によって複数の可動部（可動部材）を動作させる可動演出装置」を備える遊技機において、個々の可動部（可動部材）を円滑に動作させることである。
【課題を解決するための手段】
【００１６】
請求項１に記載の遊技機は、
該外枠に装着される遊技機本体と、
該遊技機本体の所定の部位に固定状態で配置されると共に、表裏面部を貫通する孔状の主経路案内手段、及び、表裏面部を貫通する孔状の副経路案内手段を備える経路案内部材と、
共に前記経路規案内部材の表面部側において動作可能な状態に配置される主可動部及び副可動部と、前記経路案内部材の裏面部側に配置される一の駆動手段と、を有する可動演出装置と、
を備える遊技機であって、
前記可動演出装置は、
前記主経路案内手段に挿通されつつ、前記主経路案内手段が形成する主経路に沿って移動可能とされる主挿通部と、前記経路案内部材の裏面部側において前記駆動手段に直接的に、若しくは、伝達手段を介して間接的に連結される駆動連結部と、前記経路案内部材の表面部側において前記主可動部に対して一体で動作可能な状態に連結される可動連結部と、を有する主軸体部と、
前記副可動部に対して一体で動作可能な状態に装着されつつ、前記主可動部によって回転可能な状態に支持される副軸体部と、
前記副軸体部に対して前記経路案内部材の表面部側で連結され、前記副軸体部と一体で動作可能とされると共に、前記副経路案内手段に挿通されつつ、前記副経路案内手段が形成する副経路に沿って移動可能とされる副挿通部を有する作動片部と、
を備え、
前記副挿通部の軸心が前記副軸体部の軸心に対して位置ずれを生じた箇所に配設され、
前記主経路と前記副経路との間で、経路長、経路の形成方向、経路の形状、及び、経路の曲率のうちの少なくとも何れかが異なることを特徴とする。
【００１７】
請求項１の発明では、駆動手段を起動すると、主軸体部が主経路案内手段に案内されつつ、この主経路に沿って移動するため、主可動部は所定の態様で動作する。このとき、副軸体部が主可動部によって支持されているため、副可動部も、主可動部の移動に追従して移動する。但し、副可動部が主可動部に対して回転可能な状態に支持されると共に副軸体部に作動片部が連結されている。しかも、主経路と前記副経路との間で、経路の形成方向等が異なっている。このため、主可動部の移動に伴って、作動片部がその副挿通部の軸心回りに回転し、副軸体部、ひいては、副可動部を回転させることができる。
【００１８】
このように、請求項１の発明によると、「主可動部の移動に追従して副経路案内手段を移動する作動片部」の作用で、副軸体部、ひいては、副可動部の移動態様に変化が与えられ、副可動部によって独立性の高い演出動作（主可動部に対する独立性の高い演出動作）を実行することができる。即ち、請求項１の発明では、可動演出装置に対して、簡素な構造の経路案内部材を併存させ、この経路案内部材を用いて、副軸体部の動作態様に変化を与える構成を採用することで、副可動部によって独立性の高い演出動作を実行可能とする。しかも、可動演出装置における「駆動力の伝達機構」を、軸体部（主軸体部と、副軸体部）と、作動片部とを備える簡素で、部品点数の少ない構成としている。
【００１９】
換言すると、請求項１の発明によると、駆動源を複数としたり、駆動力の伝達機構をギアやカムを用いた複雑な機構とすることなく、複数の可動部に独立性の高い動作を行わせることができる。つまり、「単一の駆動手段によって複数の可動部を動作させる可動演出装置」を備える遊技機においても、経路案内部材を併存させることで、この種の可動演出装置の構造の簡素化を図りつつも、複数の可動部に独立性の高い動作を行わせることができる。
【００２０】
従って、請求項１の発明によると、この種の可動演出装置の製造（組み立て）が容易となり、可動演出装置の製造コストの低廉化を図ることができる。また、この可動演出装置を構成する「駆動力の伝達機構」を、軸体部（主軸体部と、副軸体部）と、作動片部とを備える簡素な構成とするため、可動部（主可動部及び副可動部）の動作の円滑性を確保することができる。しかも、経路案内部材の裏面部側に駆動手段を配置するため、「可動演出装置において経路案内部材の表面部側に位置する部分」のコンパクト化を図ることができる。
【００２１】
ここで、請求項１の発明の「主軸体部」において、「駆動連結部」と「可動連結部」の配置箇所は種々選択可能であるが、例えば、主軸体部の一端部を「駆動連結部」とし、主軸体部の他端部を「可動連結部」とする態様を例示できる。また、請求項１の発明において、副軸体部の副可動部への装着態様等も種々可能であるが、副軸体部の一端部を作動片部が連結される部分とし、副軸体部の他端部を、副可動部に連結する部分とする態様を例示できる。
【００２２】
請求項２に記載の遊技機は、
所定の設置部位に設置される外枠と、
該外枠に装着される遊技機本体と、
該遊技機本体の所定の部位に固定状態で配置されると共に、表裏面部を貫通する孔状、表面部で開口する溝状若しくは表面部から突出する突起状に形成される主経路案内手段、及び、表裏面部を貫通する孔状、表面部で開口する溝状若しくは表面部から突出する突起状に形成される副経路案内手段を備える経路案内部材と、
共に前記経路規案内部材の表面部側において動作可能な状態に配置される主可動部及び副可動部と、前記主可動部の駆動源を構成する一の駆動手段と、を有する可動演出装置と、
を備える遊技機であって、
前記可動演出装置は、
前記主経路案内手段に対して摺動可能な状態に配置されつつ、前記主経路案内手段が形成する主経路内を移動可能とされる主摺動部と、前記駆動手段に対して直接的に、若しくは、所定の伝達手段を介して間接的に連結される駆動連結部と、前記主可動部に対して一体で動作可能な状態に連結される可動連結部と、を有する主軸体部と、
前記副可動部に対して一体で動作可能な状態に装着されつつ、前記主可動部によって回転可能な状態に支持される副軸体部と、
前記副軸体部に対して前記経路案内部材の表面部側で一体化され、前記副軸体部と一体で動作可能とされると共に、前記副経路案内手段に対して摺動可能な状態に配置されつつ、前記副経路案内手段が形成する副経路内を移動可能とされる副摺動部と、を有する作動片部と、
を備え、
前記副摺動部の軸心が前記副軸体部の軸心に対して位置ずれを生じた箇所に配設され、
前記主経路と前記副経路との間で、経路長、経路の形成方向、経路の形状、及び、経路の曲率のうちの少なくとも何れかが異なることを特徴とする。
【００２３】
請求項２の発明においても、駆動手段を起動すると、主軸体部が主経路案内手段に案内されつつ、この主経路案内手段に沿って移動するため、主可動部は所定の態様で動作する。このとき、作動片部の作用で、副可動部を、主可動部の移動に追従・移動させつつも、副挿通部の軸心回りに回転させることができる。つまり、請求項２の発明においても、作動片部の作用で、副軸体部、ひいては、副可動部の移動態様に変化が与えられ、副可動部によって独立性の高い演出動作を実行することができる。
【００２４】
また、請求項２の発明においても、可動演出装置に対して、簡素な構造の経路案内部材を併存させることで、副可動部によって独立性の高い演出動作を実行可能とすると共に、可動演出装置における「駆動力の伝達機構」を、軸体部（主軸体部と、副軸体部）と、作動片部とを備える簡素で、部品点数の少ない構成としている。
【００２５】
従って、請求項２の発明によっても、この種の可動演出装置の製造（組み立て）が容易となり、可動演出装置の製造コストの低廉化を図ることができる。また、可動演出装置を構成する「駆動力の伝達機構」を、軸体部（主軸体部と、副軸体部）と、作動片部とを備える簡素な構成とするため、可動部（主可動部及び副可動部）の動作の円滑性を確保することができる。
【００２６】
ここで、請求項２の発明においては、主経路案内手段及び副経路案内手段の構成態様を、表裏面部を貫通する孔状、表面部で開口する溝状、及び表面部から突出する突起状のうちから選択することができる。但し、請求項２の発明においては、主経路案内手段及び副経路案内手段の構成態様が一致していてもよいし、異なっていてもよい。つまり、（１）主経路案内手段及び副経路案内手段の双方が、孔状、溝状、若しくは突起状である場合、（２）主経路案内手段及び副経路案内手段の一方が孔状で、他方が溝状若しくは突起状である場合、（３）主経路案内手段及び副経路案内手段の一方が溝状で、他方が突起状若しくは孔状である場合 、（４）主経路案内手段及び副経路案内手段の一方が突起状で、他方が孔状若しくは溝状である場合を例示できる。
【００２７】
また、請求項２の発明において、複数個の主経路案内手段を備えていたり、複数個の副経路案内手段を備えていてもよい。この場合、複数個の主経路案内手段や複数個の副経路案内手段の構成態様が一致していてもよいし、異なっていてもよい。
【００２８】
請求項２の発明の「主軸体部」においても、「駆動連結部」と「可動連結部」の配置箇所は種々選択可能であるが、例えば、主軸体部の一端部を「駆動連結部」とし、主軸体部の他端部を「可動連結部」とする態様を例示できる。また、請求項２の発明において、副軸体部の副可動部への装着態様等も種々可能であるが、副軸体部の一端部を作動片部が一体化される部分とし、副軸体部の他端部を、副可動部に装着される部分とする態様を例示できる。但し、請求項２の発明においては、副軸体部及び作動片部を別個に成形（製造）した後に連結して一体化してもよいし、副軸体部及び作動片部を一体的に成形（製造）することで、一体化してもよい。
【００２９】
請求項３に記載の遊技機は、
所定の設置部位に設置される外枠と、
該外枠に装着される遊技機本体と、
該遊技機本体の所定の部位に固定状態で配置されると共に、主経路案内手段及び副経路案内手段を備える経路案内部材と、
共に前記経路規案内部材の表面部側において動作可能な状態に配置される主可動部及び副可動部と、前記主可動部の駆動源を構成する一の駆動手段と、を有する可動演出装置と、
を備える遊技機であって、
前記可動演出装置は、
前記主可動部の裏面部から突出して前記主可動部と一体で動作可能とされると共に、前記駆動手段に対して直接的に、若しくは、所定の伝達手段を介して間接的に連結される駆動連結部と、前記主経路案内手段に対して摺動可能な状態に配置されつつ、前記主経路案内手段が形成する主経路内を移動可能とされる主摺動部と、を有する主軸体部と、
前記副可動部の裏面部から突出して前記副可動部と一体で動作可能とされると共に、前記主可動部によって回転可能な状態に支持される副軸体部と、
前記副軸体部に対して前記経路案内部材の表面部側で一体化され、前記副軸体部と一体で動作可能とされると共に、前記副経路案内手段に対して摺動可能な状態に配設されつつ、前記副経路案内手段が形成する副経路内を移動可能とされる副摺動部と、を有する作動片部と、
を備え、
前記副摺動部の軸心が前記副軸体部の軸心に対して位置ずれを生じた箇所に配設され、
前記主経路と前記副経路との間で、経路長、経路の形成方向、経路の形状、及び、経路の曲率のうちの少なくとも何れかが異なることを特徴とする。
【００３０】
請求項３の発明においても、駆動手段を起動すると、主軸体部が主経路案内手段に案内されつつ、この主経路案内手段に沿って移動するため、主可動部は所定の態様で動作する。このとき、作動片部の作用で、副可動部を、主可動部の移動に追従・移動させつつも、副挿通部の軸心回りに回転させることができる。つまり、請求項３の発明においても、作動片部の作用で、副軸体部、ひいては、副可動部の移動態様に変化が与えられ、副可動部によって独立性の高い演出動作を実行することができる。
【００３１】
また、請求項３の発明においても、可動演出装置に対して、簡素な構造の経路案内部材を併存させることで、副可動部によって独立性の高い演出動作を実行可能とすると共に、可動演出装置における「駆動力の伝達機構」を、軸体部（主軸体部と、副軸体部）と、作動片部とを備える簡素で、部品点数の少ない構成としている。
【００３２】
従って、請求項３の発明によっても、この種の可動演出装置の製造（組み立て）が容易となり、可動演出装置の製造コストの低廉化を図ることができる。また、可動演出装置を構成する「駆動力の伝達機構」を、軸体部（主軸体部と、副軸体部）と、作動片部とを備える簡素な構成とするため、可動部（主可動部及び副可動部）の動作の円滑性を確保することができる。
【００３３】
ここで、請求項３の発明においては、主経路案内手段及び副経路案内手段の構成態様を種々選択可能である。例えば、表裏面部を貫通する孔状、表面部で開口する溝状、及び表面部から突出する突起状のうちから選択することができる。尚、請求項３の発明においても、主経路案内手段及び副経路案内手段の構成態様が一致していてもよいし、異なっていてもよい。つまり、（ａ）主経路案内手段及び副経路案内手段の双方が、孔状、溝状、若しくは突起状である場合、（ｂ）主経路案内手段及び副経路案内手段の一方が孔状で、他方が溝状若しくは突起状である場合、（ｃ）主経路案内手段及び副経路案内手段の一方が溝状で、他方が突起状若しくは孔状である場合 、（ｄ）主経路案内手段及び副経路案内手段の一方が突起状で、他方が孔状若しくは溝状である場合を例示できる。
【００３４】
また、請求項３の発明においても、複数個の主経路案内手段を備えていたり、複数個の副経路案内手段を備えていてもよい。この場合、複数個の主経路案内手段や複数個の副経路案内手段の構成態様が一致してもよいし、異なってもよい。
【００３５】
請求項３の発明においては、「主軸体部」を「主可動部」と別体で成形（製造）した後に、この両者を連結して一体化してもよいし、「主軸体部」を「主可動部」と一体で成形（製造）してもよい。同様に、「副軸体部」を「副可動部」と別体で成形（製造）した後に、この両者を連結して一体化してもよいし、「副軸体部」を「副可動部」と一体で成形（製造）してもよい。また、請求項３の発明においても、副軸体部及び作動片部を別個に成形（製造）した後に連結して一体化してもよいし、副軸体部及び作動片部を一体的に成形（製造）することで、一体化してもよい。
【００３６】
各請求項の発明の遊技機は、複数個の可動演出装置と、個々の可動演出装置に各々対応する、複数個の経路案内部材を備えてもよい。また、各請求項の発明の「作動片部」の具体的な構成は種々選択可能であるが、例えば、副軸体部側に自由端を配置しつつ経路案内部材の表面部に沿って略片持ち梁状に突出する基体部と、基体部から（例えば、基体部の突端部）突出する突出部と、を備える構成を例示できる。この場合、突出部を用いて、請求項１の発明の「挿通部」や、請求項２及び請求項３の発明の「副摺動部」が構成されることになる。
【００３７】
各請求項の発明において「経路案内部材」が配置される部位（以下、「配置部位」という。）を種々することが選択できる。即ち、遊技機は、パチンコ機（弾球遊技機）と、スロットマシン（回胴式遊技機）とに大別されるが、何れもの遊技機も、所定の設置部位（例えば、パチンコホールの島設備における設置部位）に設置される外枠と、この外枠に装着される遊技機本体と、を備えている。そして、遊技機本体の所望の箇所を、「配置部位」として選択できる。
【００３８】
具体的には、パチンコ機（弾球遊技機）を構成する遊技機本体は、（１）外枠の左右方向に沿った一側に開閉自在に取り付けられ上部に開口部が形成された中枠と、（２）中枠の開口部に着脱自在に取り付けられる遊技盤と、（３）遊技盤の前面部を覆うガラス板を具備するガラス扉枠（前面枠）と、を備える。そして、このような構成部材（遊技機本体の構成部材）のうちの何れであっても、「配置部位」を設けることができるが、例えば、遊技盤から選択される所定の部位や、遊技盤に装着される所定の部材（例えば、ベース部材や取付用のステー）を「配置部位」とすることができる。
【００３９】
また、スロットマシン（回胴式遊技機）を構成する遊技機本体は、本体部及び表扉部等からなる筐体（外郭体）と、この筐体の内部に配置された図柄表示手段と、を備えている。そして、このような構成部材（遊技機本体の構成部材）のうちの何れであっても、「配置部位」を設けることができるが、例えば、筐体（外郭体）から選択される所定の部位や、筐体（外郭体）に装着される所定の部材（例えば、装飾部材や取付用のステー）を「配置部位」とすることができる。
【００４０】
請求項４に記載の遊技機は、請求項１〜３の何れか一項に記載の遊技機において、
前記副可動部を複数個備えると共に、
個々の副可動部に対応する、前記副軸体部と、前記作動片部とを備えることを特徴とする。
【００４１】
請求項４の発明では、副可動部を複数とするため、可動演出装置においては、３個以上の可動部（１個の主可動部と、２個以上の副可動部）が独立性の高い動作（演出動作）を実行可能である。このため、請求項４の発明によると、可動演出装置を用いて、より一層、効果的な演出を実行することができる。
【００４２】
請求項５に記載の遊技機は、請求項１〜４の何れか一項に記載の遊技機において、
前記経路案内部材には補助案内手段が設けられ、前記可動演出装置は前記主可動部と一体で動作可能な補助軸体部を前記主可動部の裏面部から突出する状態に備え、
前記補助軸体部は、前記補助案内手段に対して摺動可能な状態に配置されつつ、前記補助案内手段が形成する補助経路内を移動可能とされる補助摺動部を備えることを特徴とする。
【００４３】
請求項５の発明では、補助軸体部を備えるため、主可動部の動作をより円滑に行うことができる。蓋し、主可動部が複数箇所で経路案内部材に支持されるため（即ち、主軸体部と補助軸体部とが用いて、経路案内部材に支持されるため）、動作中の主可動部において、その姿勢の安定化を図ることができるからである。
【００４４】
請求項５の発明においては、補助案内手段の構成態様を種々選択可能である。例えば、表裏面部を貫通する孔状、表面部で開口する溝状、及び表面部から突出する突起状のうちから選択することができる。また、請求項６の発明においても、複数個の補助案内手段を備えてもよい。この場合、複数個の補助案内手段の構成態様が一致していてもよいし、異なっていてもよい。
【００４５】
請求項５の発明においては、「補助軸体部」を「主可動部」と別体で成形（製造）した後に、この両者を連結して一体化してもよいし、「補助体部」を「主可動部」と一体で成形（製造）してもよい。また、請求項５の発明において、「補助軸体部」は補助軸本体部のみで構成されてもよいし、補助軸本体部及びその他部分（例えば、主可動部の表面部側から突出する状態に配置される部分）によって構成されてもよい。
【００４６】
請求項６に記載の遊技機は、請求項１〜５の何れか一項に記載の遊技機において、
前記経路案内部材は、前記可動演出装置を前記遊技機本体に取り付けるための取付部材を構成することを特徴とする。
【００４７】
請求項６の発明では、経路案内部材を別途、独立の部品としないため、遊技機の部品点数の増加を抑制したり、遊技機の構造の簡略化を図ることができる。
【００４８】
各請求項の発明の「駆動手段」としては、例えば、モータ、ソレノイド等を例示できる。また、この駆動手段が、主軸体部に対して直接、連結されてもよいが、伝達手段（クランクシャフト、歯車等）を介して間接的に連結されてもよい。
【００４９】
各請求項の発明において、主経路と、副経路の形状は、種々選択可能であり、例えば、（ａ）直線状、（ｃ）折れ線状、（ｂ）円弧状、若しくは、これら（ａ）〜（ｂ）の２個若しくは３個を組み合わせた形状、等を例示できる。また、各請求項の発明において、「主経路と副経路との間で、経路の形成方向が異なること」には、「左右方向、上下方向、斜め上下方向」等の「大まかな方向」の点では一致するが、傾斜度が異なる場合（主経路の傾斜度と副経路の傾斜度とが異なる場合）も含まれる。
【００５０】
各請求項の発明において、「主経路と副経路との間で、経路の形状が異なる」場合としては、（ａ）一方が略円弧状若しくは略直線状で、他方が略折れ線状の場合、（ｂ）一方が略折れ線状若しくは略円弧直線状で、他方が略直線状の場合、（ｃ）一方が略直線状若しくは略折れ線状で、他方が略円弧状の場合、等を例示できる。
【００５１】
各請求項の発明において、可動演出装置が動作するタイミング（可動演出装置による演出開始のタイミング）は種々選択でき、例えば、（１）ランダムな時、（２）常時（遊技機への電源の投入時全般）、（３）遊技者が遊技機を用いて遊技を行っている時、（４）遊技者が遊技機を用いて遊技を行っていない時（所謂、「客待ちの時」）、（５）遊技機の遊技状態や遊技モードの変更時、（６）遊技機の遊技状態や遊技モードを変更するか否かを示す表示（報知）をするとき、（７）遊技機の遊技状態や遊技モードを変更する旨の予告するとき、等を例示できる。尚、（７）の予告は、真実の予告のみであってもよいし、「真実の予告及び偽りの予告（所謂、ガセ予告）」であってもよい。
【００５２】
ここで、「（６）表示（報知）」は、遊技機本体に配設される表示装置（例えば、図柄表示装置）において、「識別情報（例えば、識別図柄）」を用いて実行する表示（報知）を例示できる。つまり、通常、遊技機は、「判定実行条件が成立すると、遊技状態を大当り遊技状態に移行させるか否かの判定を行う判定手段」と、「表示実行条件が成立すると、前記判定の結果を示す判定結果表示（判定結果を示す図柄等）を、所定の演出表示を経て確定表示する表示手段と、を備えている。
【００５３】
弾球遊技機において、この「判定実行条件」は、例えば、遊技領域に配設された「始動入賞手段」への遊技球の入賞（つまり、始動入賞）が、検出されることを前提に成立する。この検出は、通常、「始動入賞手段」に設けられた「始動検出手段（始動検出スイッチ）」によって行われる。また、「表示実行条件」は、始動入賞を生ずることを前提に、判定結果図柄の表示時期が到来すると、成立する。この「表示実行条件」は、本各発明の遊技機において生じ得る全ての始動入賞に対応して成立させてもよいが、通常、所定の制限の下で成立する。即ち、本各発明の遊技機が、保留数に上限数がある場合には、当該保留数が当該上限数に達した状態にて、始動入賞を生じても、「表示実行条件」を不成立とする（つまり、当該始動入賞を無視する。）。
【００５４】
即ち、（１）「表示手段」が、先行する他の始動入賞に起因する「各種の表示」を実行中でなく、しかも、先行する他の始動入賞に関する始動記憶が存在しない状態で、始動入賞を新たに生じたケースでは、そのまま、当該「新たに生じた始動入賞」に係る「表示実行条件」が成立する。ところが、（２）先行する他の始動入賞に起因する「各種の表示」を実行中か、先行する他の始動入賞に関する始動記憶が存在する状態で、始動入賞を新たに生じたケースでは、当該始動入賞時における保留数が、上限数に達していない場合に限り、当該「新たに生じた始動入賞」に関するデータ（判定結果に関するデータ等）を保留記憶（保留データ）として取り扱う。そして、当該「保留記憶」に先行する他の保留記憶に基づく、「各種の表示」を完了し、当該「保留記憶」に基づく、「各種の表示」の実行時期が到来したときに、当該「保留記憶」に関し、「表示実行条件」が成立する。ここで、始動入賞（始動記憶）に起因する「各種の表示」とは、当該「始動入賞」に伴って行われた判定結果に関連する表示であって、「演出表示（例えば、変動表示）」や当該「他の始動入賞に起因する判定結果図柄の確定表示」等を指す。
【００５５】
この「表示手段」としては「図柄表示手段」を例示でき、この「図柄表示手段」としては、例えば、単一若しくは複数個のランプ装置を用いて構成される表示装置、液晶表示装置、単一のセグメント表示体や７セグメント表示体等を用いて構成される図柄表示装置の他に、ＣＲＴ、ドットマトリックス、エレクトロルミネセンス、蛍光表示管等を用いた図柄表示装置等を例示できる。また、「判定結果表示」は、例えば、単一若しくは複数個のランプ装置を用いた点灯表示であってもよいし、所定の識別図柄の停止図柄（単数の停止図柄であっても、複数の停止図柄からなる組み合わせ図柄であってもよい。）を用いて構成されてもよい。また、この「演出表示」としては、例えば、単一若しくは複数個のランプ装置を用いた点滅させたり、複数個のランプ装置を順次、点灯させて行われる変動表示や、所定の識別図柄を用いて行われる変動表示（複数の識別図柄を順次、循環表示することを内容とする変動表示）を例示できる。また、この「演出表示」には、この変動表示と共に実行されるキャラクター演出表示（キャラクターを表示させつつ行われる演出表示）が含まれることもある。尚、「識別情報(識別図柄）」は、遊技者に情報を発するため、図柄表示装置に表示される図柄であって、例えば、図形、文字、模様若しくはこれらの組み合わせ等によって構成される。そして、本各発明の遊技機が、この「識別図柄（識別情報）」として、本図柄（後述する。）のみを用いてもよいし、この本図柄と共に演出専用図柄（疑似図柄であって、後述する。）を用いてもよい。
【００５６】
ここで、「本図柄」とは、遊技機において遊技の基本進行を司る「主制御部（後述する。）」において、その表示態様（少なくとも「停止図柄」と、「変動時間」）が決定される特別図柄である。一方、「疑似図柄」とは、「主制御部の制御の下で、遊技上の演出を制御する副制御部（後述する。）」によって、その変動態様と、停止図柄とが決定される「演出用の図柄」である。通常、この「疑似図柄」の変動表示は、本図柄と同一の時間だけ実行され、この「疑似図柄」の停止図柄の「表示内容（大当り、外れ等）」は、本図柄の停止図柄「表示内容（大当り、外れ等）」と矛盾を生じないものとされる。
【００５７】
このように、「表示装置（図柄表示装置）」が「本図柄」及び「疑似図柄」を表示する場合、（１）「表示装置（図柄表示装置）」を、「本図柄」及び「疑似図柄」を表示する単一の表示装置によって構成してもよいし、（２）「図柄表示手段」を、「本図柄」を表示するための「本図柄表示用の図柄表示装置」と、「疑似図柄」等の演出図柄を表示するための「演出図柄表示用の図柄表示装置」と、によって別々に構成してもよい。また、「図柄表示手段」が表示する特別図柄が、「本図柄」のみであるか、「本図柄の表示用」及び「演出図柄の表示用」であるかを問わず、「図柄表示装置」には、特別図柄以外の演出専用図柄（背景図柄、キャラクター図柄等）が表示されてもよい。
【００５８】
「表示装置（図柄表示装置）」によって表示（報知）される「遊技状態の変更」としては、「遊技機の遊技状態が、通常遊技状態から大当り遊技状態」を例示できる。また、図柄表示装置によって表示（報知）される「遊技モードの変更」としては、（１）遊技モードを通常遊技モードから、確率変動モードに移行させること、（２）遊技モードを通常遊技モードから、時短モードに移行させること、（３）遊技モードを確率変動モードから、時短モードに移行させること、等を例示できる。
【００５９】
ここで、「確率変動（若しくは「確変」と称することがある。）モード」とは、図柄表示装置に、所謂「確率変動図柄（つまり、大当り図柄の一態様）」が表示されることに起因して生ずる遊技状態（遊技モード）である。そして、遊技機が確率変動モードに移行すると、図柄表示装置に、その後、当否判定手段によって「大当り」の当否判定結果が下される確率が高確率に変動する。即ち、遊技機が高確率モードにある場合には、所定の条件が成立するまで（例えば、特別図柄が所定回数変動するまで、あるいは、次回の大当りを生ずるまで）、大当りが発生する確率が高確率に設定される。
【００６０】
また、「時短モード」とは、（１）特別図柄の図柄変動時間を短くすること、（２）普通図柄の図柄変動時間を短くすること、（３）当選を示す普通図柄が停止表示される確率を高くすること、等のうちの少なくとも１つを実行すること内容とする特典である。この時短モードは、それ自体、単独で付与されても、他の特典に付加された状態で付与されてもよい。例えば、前述の如く、特別遊技の終了後、確率変動モードを実行した後に、時短モードを実行してもよいし、特別遊技の終了後、確率変動を経ずに時短モードを実行してもよい。
【００６１】
但し、確率変動モードを実行した後に、時短モードを実行する態様においては、確率変動モードの実行中においても、遊技機が「時短モード」と同様な遊技状態を実行してもよい。つまり、確率変動モードの実行中においても、特別図柄の図柄変動時間や普通図柄の図柄変動時間を短くすること等を実行してもよい。更に、確変モードの実行中や、時短モードの実行中に、「普通電動役物の開成時間の延長モード（始動入賞手段の開成を行う普通電動役物の開成時間を延長することを内容とする遊技モード」が実行されてもよい。
【００６２】
「表示装置（図柄表示装置）」においては、判定結果図柄（識別情報）を確定表示する前に、つまり、演出表示の途中に、所謂「リーチ表示」を行ってもよい。この場合、この「リーチ表示」に連動させて、可動演出装置が動作してもよい。ここで、「リーチ表示（リーチ表示演出）」とは、一般に、図柄表示手段に表示（変動表示と確定表示）される識別情報が、複数（３つ若しくは４つ以上である。）の「構成図柄」を備える場合において、演出表示（変動表示）の途中で行われる演出的な表示を指す。つまり、所定の「当否判定の結果」に表示実行条件が成立し、複数の「構成図柄」の各々を順次、更新表示（変更表示）する変動表示の後に、「変動表示手段」で、複数の複数の「構成図柄」の停止図柄を確定表示し、「大当り表示（当否判定の結果が当りであることを示す表示）」、若しくは、「特定タイプの外れ表示」を行う場合に、「図柄表示手段」で、当該変動表示の途中で行う演出的な表示を指す。
【００６３】
例えば、この演出表示（変動表示）の途中において、最終的に停止する構成図柄（以下、「最終停止図柄」という。）以外の構成図柄を所定の図柄で停止させ、最終停止図柄の種類によって、大当り表示がなされる可能性があることを示す演出的な表示である。例えば、複数の構成図柄の停止図柄が同一の図柄であると、大当り表示が完成する場合に、最終停止図柄以外の構成図柄を同一図柄で停止させて、遊技機において「特別遊技の実行（大当りの発生）の可能性」が存在することを示す表示を指す。尚、「特定タイプの外れ表示」とは、最終停止図柄以外の構成図柄は「大当り表示」を行う条件を具備するが、最終停止図柄が「大当り表示」を行う条件を具備しない状態の「外れ表示（後述する「リーチ型の外れ表示」）」を指す。
【発明の効果】
【００６４】
以上記述したように各請求項によると、「単一の駆動手段によって複数の可動部（可動部材）を動作させる可動演出装置」を備える遊技機において、可動演出装置の構造の簡素化を図りつつも、個々の可動部（可動部材）によって独立性の高い動作態様を実現できる。
【発明を実施するための最良の形態】
【００６５】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００６６】
（１）機械的な構造
ａ．遊技機の前面側の全体構造
先ず、この遊技機１の前面側の全体構造（機械的な構造）について、図１を参照して説明する。この遊技機１は、遊技機本体１Ａと外枠（本体枠）２とを備えている（図２７も参照）。
【００６７】
外枠２は、木製の板状体を略長方形の額縁状に組立て固着したものであり、パチンコホールの島設備に固定される。また、遊技機本体１Ａは、中枠３と、前面枠４と、遊技盤１０（図２を参照）と、裏機構盤１０２（図２４を参照）と、上皿部５と、下皿部６と、施錠装置７と、を備えている。
【００６８】
中枠３は、全体がプラスチック製であり、外枠２の内側に嵌めこまれ、外枠２に対して開閉可能に軸支されている。また、施錠装置７は、中枠３の右端中央に設けられ、遊技盤１０は中枠の開口部は脱自在に取り付けられている。この中枠３の下方側の前面部には、遊技球を遊技盤１０に発射する発射ユニット（図示を省略）と、遊技球を発射ユニットに供給するための球送り装置（図示を省略）と、遊技状態に応じた効果音その他の音（音声）を発生させるスピーカーＳＰ（図２６参照）等が配設されている。
【００６９】
前面枠４は、遊技盤１０の前面部を覆うガラス板を具備するガラス扉枠を構成するものであり、中枠３の前面側に配置され、中枠３の左端に開閉可能に支持されている。この前面枠４は、全体がプラスチック製であり、奥側に配置される遊技盤１０（図２参照）の盤面を前方から視認可能とするために、円形状の開口部４ａを有している。つまり、この開口部４ａは、遊技盤１０に形成された遊技領域１１（図２参照）の形状に対応して、略円周状に開設されている。そして、前面枠４の裏面には、開口部４ａに応じて二枚のガラス板（図示を省略）が嵌められた略長方形状のガラス枠（図示を省略）が装着されている。
【００７０】
前面枠４には、各種のＬＥＤ表示部４ｂ、４ｃ、４ｄ、４ｅ、４ｆが設けられ、これらのＬＥＤ表示部４ｂ〜４ｆは、遊技効果を高めること等を目的として、ゲームの進行に応じて点灯及び消灯したり、点滅する。また、前面枠４の前面上方側の中央で左右に並ぶ２個の中上ＬＥＤ表示部４ｆ、４ｆの間には、２個の賞球ＬＥＤ表示部４ｇが設けられている。更に、賞球ＬＥＤ表示部４ｇの上方には、エラーＬＥＤ表示部４ｈが略扇形に設けられている。
【００７１】
遊技機本体１Ａの前面部のうちで、前面枠３の下方の部位が、上皿部５と下皿部６とを備える構成とされている。つまり、上皿部５は、前面枠３の下方に配置され、下皿部６は上皿部５の下方に配置されている。また、上皿部５は、皿外縁部５ａと、遊技機１の内部の遊技球を下皿部６に排出するための排出口５ｂ等を備えている。尚、上皿部５の裏側には、球貸表示基板４１０（図２５参照）が設けられ、皿外縁部５ａには球抜きボタンや遊技球の貸出・返却ボタン等が設けられている。
【００７２】
下皿部６の略中央には、遊技機１の内部から遊技球を排出するための排出口６ａが設けられている。また、下皿部６の左端には灰皿６ｂが設けられ、下皿部６の右端には発射ハンドル９が設けられている。更に、下皿部６の上部には、灰皿６ｂの上面を開閉可能なスライド蓋が設けられている。また、下皿部６の底面には球抜き孔（図示を省略）が設けられている。この球抜き孔は、通常時には、閉鎖されているが、下皿部６に貯留された遊技球を遊技機１から排出する際に開放状態とされる。
【００７３】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、施錠装置７は、正面視すると鍵穴を備えた略長方形状を呈し、前面枠４を閉鎖した場合に施錠するためのものである。更に、遊技機１の左端側には、プリペイドカードユニットＰＵが設けられている。
【００７４】
上皿部５の略中央部には第１音声出力部５ｃが設けられている。この第１音声出力部５ｃには、スピーカーＳＰを構成する中高音用ユニット（ツィータ）が、ダクト（図示を省略）を介して接続されている。また、下皿部６における排出ノブ６ｃの右側及び左側には第２音声出力部６ｄが設けられている。この第２音声出力部６ｄには、スピーカーＳＰを構成するユニット（ウーハ）が、ダクト（図示を省略）を介して接続されている。
【００７５】
ｂ．遊技盤１０の構成
次に、遊技盤１０の構成について図２及び図３を中心にして説明する。この遊技盤１０は、前述のように、中枠３（図１を参照）に保持されるとともに、後述する裏機構盤１０２（図２４参照）によりその背面側が覆われている。また、遊技盤１０の前面部には、ともに帯状の金属板を用いて構成される外側レール１２と、内側レール１３とが配設されている。そして、遊技盤１０の前面部において、この外側レール１２及び内側レール１３が形成する略円形の周壁によって構成される部位が、遊技領域１１を構成している。
【００７６】
この遊技盤１０において遊技領域１１内に位置する部位には、中央装置２０と、第１の可動演出装置７０と、第２の可動演出装置８０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘１４と、風車１９等が配設されている。このように、本遊技機１では、遊技領域１１に２個の可動演出装置７０、８０を配設するが、このうちの一方の可動演出装置８０が、各請求項の発明に係る可動演出装置８０を構成する。
【００７７】
ここで、図４は、各種の盤部品（中央装置２０、可動演出装置７０、普通図柄作動ゲート１６、始動入賞装置１７、下部装置３０、左下表示装置５０、右下表示装置６０、一般入賞装置４０、４１、４３、４４、障害釘１４、風車１９等）を装着する前の遊技盤１０を示している。この図４に示すように、「遊技盤１０において遊技領域１１を構成する部位」には開口部１０ｃが形成されている。この開口部１０ｃは、遊技盤１０の表裏面（前後面）を貫通する状態に形成されると共に、遊技領域１１の「略中央部」から、「遊技領域１１の右斜め上方の端部」及び「遊技領域１１の右側方の端部」に至るサイズ（遊技領域１１の面積の約２／５を占める大型の開口部）とされている。この開口部１０ｃは、中央装置２０を遊技盤１０に取り付けるための取付孔を構成する。
【００７８】
中央装置２０は、図３に示すように、枠部材２１と、ベース部材２２と、上部装飾部材２３と、ステージ部材２４と、左側装飾部材２５と、中央表示装置２７と、を備えている。尚、本実施例において、第１の可動演出装置７０及び第２の可動演出装置８０は、中央装置２０に組み込まれている。
【００７９】
枠部材２１及びベース部材２２は、中央装置２０の他の構成部材や可動演出装置７０、８０（後述する。）を、遊技盤１０に取り付けるために使用される取付部材（取付ステー）として機能する。また、ベース部材２２は、後述するように、「経路案内部材」及び「取付部材」の具体例を構成する。更に、本実施例では、経路案内部材を構成するベース部材２２において、その表面部を前方（遊技者の方向）に向け、その裏面部を後方（遊技者と反対の方向）に向けている。つまり、経路案内部材の表面部、つまり、第２の可動演出装置８０等が配置される側の面部は、遊技者によって視認可能な方向に向けられる。
【００８０】
図３に示すように、枠部材２１の外縁部２１ａは、「遊技盤１０の開口部１０ｃ」と略同一形状とされている。また、詳細な図示を省略するが、枠部材２１の内縁部２１ｂも、「遊技盤１０の開口部１０ｃ」と略同一形状とされている。但し、図６に示すように、枠部材２１の外縁部２１ａのサイズは開口部１０ｃの周縁部のサイズよりも大きくされ、枠部材２１の内縁部２１ｂのサイズは開口部１０ｃの周縁部のサイズよりも小さくされている。
【００８１】
この枠部材２１は、図６に示すように、その裏面部２１ｃを遊技盤１０の前面部において開口部１０ｃの周縁に位置する部位に当接させつつ、遊技盤１０の前面部に取り付けられている。この取付の際、枠部材２１は、開口部１０ｃに対して同心状に位置合わせされるため、枠部材２１の外縁部２１ａは開口部１０ｃの周縁部の外側に位置し、枠部材２１の内縁部２１ｂは開口部１０ｃの周縁部の内側に位置することになる。そして、枠部材２１は、裏面部２１ｃのうちで、内縁部２１ｂ寄りに位置する部位（以下、「内縁側部位」という。）２１ｅが、開口部１０ｃを通じて、遊技盤１０の背後（後方であって、遊技者とは離間する方向）を指向する状態とされる。この内縁側部位２１ｅは、ベース部材２２を枠部材２１に取り付けるための「取付部分」を構成する。
【００８２】
図５に示すように、ベース部材２２は、「遊技盤１０の開口部１０ｃ」と略同一形状の板状体（樹脂製）を用いて構成とされている。そして、図６に示すように、このベース部材２２の外縁部２２ａのサイズは開口部１０ｃの周縁部のサイズよりも小さくされているが、枠部材２１の内縁部２１ｂのサイズよりも大きくされている。また、このベース部材２２の外縁部２２ａからは取付代２２ｂが突出し、このベース部材２２の「略中央から左方向に偏心した部位（遊技盤１０の前方から観察した場合）」には略矩形状の窓部２２ｃが設けられている。この窓部２２ｃは、ベース部材２２の表裏面（前後面）を貫通する状態に設けられている。
【００８３】
図５に示すように、ベース部材２２において、窓部２２ｃの上方の部位（以下、「上方配置部」という。）２２ｄには、略矩形状の貫通孔２２ｅが設けられている。そして、上方配置部２２ｄにおいて、貫通孔２２ｅ及びその周囲の部位によって、第１の可動演出装置７０の配置部位２２ｊを構成する。尚、可動演出装置７０に関しては、後述する。
【００８４】
図５に示すように、上方配置部２２ｄにおいて、「第１の可動演出装置７０の配置部位２２ｊ」を除く部位は、上部装飾部材２３の配置部位を構成する。また、窓部２２ｃの左側方（遊技者から見て左側方）の部位（以下、「左側配置部」という。）２２ｇは、左側装飾部材２５の配置部位を構成し、ベース部材２２の下縁部２２ｉは、ステージ部材２４の配置部位を構成している。
【００８５】
更に、ベース部材２２において、窓部２２ｃの右側方（遊技者から見て右側方）の部位（以下、「右側配置部」という。）２２ｈは、第２の可動演出装置８０の配置部位を構成する。そして、この右側配置部２２ｈには、主経路案内孔２２ｐと、第１の副経路案内孔２２ｑと、第２の副経路案内孔２２ｒと、第３の副経路案内孔２２ｓと、第１の補助路案内孔２２ｔと、第２の補助経路案内孔２２ｕとが、何れも、ベース部材２２の表裏面部を貫通する状態に備えている。また、何れの孔も、略円弧状の経路を描きつつ、略長円状の平面形状（開口形状）を備えている。
【００８６】
これらの孔のうちで、最下部に位置する主経路案内孔２２ｐは、「主経路案内手段」の具体例を構成するものであり、左方向に下り傾斜となる略円弧状の主経路２２ｐｋを形成している。また、第１の補助路案内孔２２ｔ及び第２の補助経路案内孔２２ｕは、何れも、補助案内手段の具体例を構成するものであり、主経路２２ｐｋと同一形状の補助経路２２ｔｋ、２２ｕｋを形成している。尚、これらの補助経路２２ｔｋ、２２ｕｋは、主経路２２ｐｋを、延長した仮想円（図示を省略）の上に、略位置した状態に形成されている。
【００８７】
第１の副経路案内孔２２ｑと、第２の副経路案内孔２２ｒと、第３の副経路案内孔２２ｓは、何れも、「副経路案内手段」の具体例を構成している。これらの副経路案内孔２２ｑ、２２ｒ、２２ｓは、略円弧状の副経路２２ｑｋ、２２ｒｋ、２２ｓｋを形成している。但し、これらの副経路２２ｑｋ、２２ｒｋ、２２ｓｋの曲率は、主経路２２ｐｋ及び補助経路２２ｔｋ、２２ｕｋの曲率に比べて小さくされ、直線に近いものとされている。また、各副経路案内孔２２ｑ、２２ｒ、２２ｓの短手幅（経路方向に直交する幅）は、主経路案内孔２２ｐや補助路案内孔２２ｔ、２２ｕの短手幅（経路方向に直交する幅）よりも狭くされている。
【００８８】
より具体的には、最下部に位置する第１の副経路案内孔２２ｑは、主経路案内孔２２ｐの右斜め上方に隣接配置されている。この第１の副経路案内孔２２ｑによって形成される副経路２２ｑｋの曲率は、主経路案内孔２２ｐによって形成される主経路２２ｐｋの曲率よりも小さくされると共に、「左下り傾斜となる副経路２２ｑｋの傾斜度」は、「左下り傾斜となる主経路２２ｐｋの傾斜度」よりも僅かに小さくされている。
【００８９】
上下方向中間部に位置する第２の副経路案内孔２２ｒは、主経路案内孔２２ｐの右斜め上方の離れた位置に配置されている。この第２の副経路案内孔２２ｒによって形成される副経路２２ｒｋの曲率も、主経路２２ｐｋの曲率よりも小さくされている。
【００９０】
最上部に位置する第３の副経路案内孔２２ｓは、第２の副経路案内孔２２ｒの右斜め上方に隣接配置されている。この第３の副経路案内孔２２ｓによって形成される副経路２２ｓｋの曲率も、主経路２２ｐｋの曲率よりも小さくされている。但し、「左下り傾斜となる副経路２２ｓｋの傾斜度」は、「左下り傾斜となる主経路２２ｐｋの傾斜度」よりも僅かに大きくされている。
【００９１】
図６に示すように、ベース部材２２は、その前面部の外縁部２２ａ側の部位を、枠部材２１の内縁側部位２１ｅに当接させつつ、取付代２２ｂを内縁側部位２１ｅにビス止めすることで、枠部材２１に取り付けれている。また、このように、ベース部材２２が、枠部材２１を介して遊技盤１０に取り付けられると、窓部２２ｃは遊技領域１１の略中央部に位置する状態とになる（図２、図３を参照）。
【００９２】
中央表示装置２７は液晶表示装置を用いて構成されると共に、図２に示すように、窓部２２ｃと略同一のサイズの表示画面２７ａを備える。この表示画面２７ａを前方（遊技者方向）に向け、しかも、表示画面２７ａを窓部２２ｃに位置合わせした状態で、ベース部材２２の後方に配置されている。このため、遊技者は、中央表示装置２７の表示画面２７ａを、窓部２２ｃを通じて遊技機１の前方から視認可能である。
【００９３】
この中央表示装置２７は、右下表示装置６０と同様に、判定結果図柄を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、本実施例と異なり、単一の図柄表示装置によって、本図柄の表示と、疑似図柄の表示とを行ってもよい。また、各請求項の発明の遊技機１は、本図柄の表示のみを行い、疑似図柄の表示を行わないものであってもよい。
【００９４】
中央表示装置２７の表示画面２７ａは可変状態に用いられ、その全体、若しくは、一部を用いて種々の図柄を表示可能である。この表示画面２７ａには、図７（ａ）に示すように、３つの疑似図柄表示部２７ｂ〜２７ｄと、その他の部分で構成される背景画面表示部２７ｈとが出現することがある。この場合、この疑似図柄表示部２７ｂ〜２７ｄは、表示画面２７ａにおいて横方向に３つ並んで配置される。尚、以下の説明において、遊技者から見て左側の疑似図柄表示部２７ｂを「左疑似図柄表示部２７ｂ」と称し、遊技者から見て中央の疑似図柄表示部２７ｃを「中疑似図柄表示部２７ｃ」と称すると共に、遊技者から見て右側の疑似図柄表示部２７ｄを「右疑似図柄表示部２７ｄ」と称する。
【００９５】
このように出現する各疑似図柄表示部２７ｂ〜２７ｄでは、「疑似図柄」を用いた変動表示（順次、変更される疑似図柄の表示）と、停止表示（停止した疑似図柄の表示）等がなされる。また、表示画面２７ａに疑似図柄表示部２７ｂ〜２７ｄが表示されるときには、この表示画面２７ａのその他の部位によって背景画面表示部２７ｈが表示される。そして、この背景画面表示部２７ｈには、背景を示す図柄（以下、背景図柄という。）を表示したり、この背景画面と共にキャラクタを示す図柄（以下、キャラクター図柄という。）を表示することができる。尚、表示画面２７ａにおける具体的な表示態様に関しては後述する。
【００９６】
左側装飾部材２５は、図３に示すように、２個の造形物（小判型）２５ａ、２５ｂを用いて構成されている。これらの造形物（小判型）２５ａ、２５ｂのうち、遊技者から見て下方に位置する造形物２５ｂの内部には遊技球通路２５ｃが形成されており、この造形物２５ｂは、遊技領域１１を流下する遊技球を、中央装置２０の内部に進入させための進入口を構成する。
【００９７】
ステージ部材２４は、図３に示すように、その上面部２４ａによって、遊技球の転動面を構成する。この転動面は、左右の端部から中央部に向かって下する傾斜面として構成されている。但し、転動面の中央部では、上方に向かって僅かに隆起する隆起部とされている。また、ステージ部材２４には、転動面上の遊技球を、中央装置２０の外部に排出するための排出通路２４ｃが設けられている。尚、排出通路２４ｃの入口部２４ｄは、転動面の中央部の背後において、この中央部と連続する位置で開口し、排出通路２４ｃの出口部２４ｅは、この中央部よりも下方の位置で開口している。
【００９８】
本実施例では、遊技領域１１を流下し、中央装置２０の内部に進入した遊技球は、転動面の左端部に到達し、転動面上を右方向に転動し、更に、左方向に転動する。そして、遊技球の勢いを衰えたところで、この遊技球は、排出通路２４ｃを通過して中央装置２０外に排出されるか、或いは、転動面の前縁部から、中央装置２０外に排出される。尚、出口部２４ｅの直下に、後述する始動入賞装置１７が位置している。
【００９９】
普通図柄作動ゲート（普通図柄作動口）１６は、図２に示すように、遊技領域１１において、中央装置２０の左側に位置する部位に配設されている。また、この普通図柄作動ゲート（普通図柄作動口）１６内には普通図柄作動ゲート通過検出スイッチ１６ｓ（図２８参照）が配設されている。そして、普通図柄作動ゲート通過検出スイッチ１６ｓを遊技球が通過することを前提に、「普通図柄の変動開始条件（つまり、普通図柄変動開始条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【０１００】
始動入賞装置１７は、図２に示すように、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路２４ｃの出口部２４ｅの直下に位置するため、排出通路２４ｃを通過した遊技球は、この第１の始動口を通じて、始動入賞装置１７に入賞する確率が高くされている。
【０１０１】
第２の始動入賞部１７ｂは、第１の始動入賞部１７ａの直下に位置すると共に、入口側部分に、普通電動役物１７ｄが配置されている。この普通電動役物１７ｄは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図２５参照）を備えている。そして、この一対の翼片部が左右に開くと、遊技球の入球可能性が大きくなる開放状態となり、一対の翼片部が立設され、遊技球の入球可能性が小さくなる通常状態となる。
【０１０２】
始動入賞装置１７の内部には、第１の始動入賞部１７ａ、若しくは、第２の始動入賞部１７ｂを遊技球の通過を検出する始動入賞検出スイッチ１７ｓ（図２５参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【０１０３】
図２に示すように、下部装置３０は、始動入賞装置１７の下方に配設されている。この下部装置３０は、可変入賞装置（大入賞装置）３１によって構成されている。この可変入賞装置３１は、遊技盤１０の前面部に装着された取付板部３１ｋを備える。この取付板部３１ｋは、略中央部において平面形状が略帯状の開口部を表裏を貫通する状態に備え、この開口部によって大入賞口３１ａを構成している。また、取付板部３１ｋの背後には、大入賞口３１ａから入賞する遊技球を通過させるための「大入賞口入賞通路（図示を省略）」が設けられている。
【０１０４】
そして、可変入賞装置（大入賞装置）３１は、この大入賞口３１ａを開放・閉鎖するための開閉板３１ｂと、この開閉板３１ｂを駆動するための大入賞口ソレノイ板３１ｃ（図２５参照）と、大入賞口入賞通路の経路途中若しくは経路端末部に設けられた入賞球検出スイッチ３１ｓ（図２５参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１０５】
左下表示装置５０は、図２に示すように、可変入賞装置（大入賞装置）３１の左側方に配置されている。この左下表示装置５０は、図１１（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１０６】
普通図柄保留表示部５２は、図９（ａ）に示すように、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【０１０７】
特別図柄保留表示部５３も、図９（ａ）に示すように、２個のＬＥＤを用いて構成され、所謂「特別図柄に関する保留数」を、４個を上限として表示するものである。つまり、「始動入賞装置１７に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【０１０８】
尚、本実施例では、「遊技球が、普通図柄作動ゲート（普通図柄作動口）１６を通過すること条件に、主制御部２００Ａによって実行される判断、つまり、普通電動役物１７ｅを開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１を開放を許容するか否かの判断（遊技機の遊技状態を、可変入賞装置３１を閉鎖状態に維持する通常遊技状態から、可変入賞装置３１の開閉を行う特別遊技状態にすべきか否かの判断）を、「当否判定」と称する。
【０１０９】
普通図柄保留表示部５２及び特別図柄保留表示部５３においては、同様な態様で、保留数の表示を行う。つまり、図９（ｂ）に示すように、２個ＬＥＤを消灯させることで、「保留数」が「ゼロ個」であることを示す。また、１個のＬＥＤを点灯させ、１個のＬＥＤを消灯させることで、「保留数」が「１個」であることを示す。更に、２個のＬＥＤを点灯させることで、「保留数」が「２個」であることを示す。また、１個のＬＥＤを点滅させ、１個ＬＥＤを点灯させることで、「保留数」が「３個」であることを示す。更に、２個のＬＥＤを点滅させることで、「保留数」が「４個」であることを示す。
【０１１０】
遊技状態表示部５５は、２個のＬＥＤ５５ａ、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、図１０（ａ）に示すように、一方のＬＥＤ５５ａを点灯させ、他方のＬＥＤ５５ｂを消灯させて、「遊技機１の現在の遊技状態が確変遊技状態である」旨が表示される。更に、図１０（ｂ）に示すように、一方のＬＥＤ５５ａを消灯させ、他方のＬＥＤ５５ｂを点灯させて、「遊技機１の現在の遊技状態が確変遊技状態である」旨が表示される。
【０１１１】
ここで、本実施例では、遊技機１の遊技モードが、通常遊技モードから確変モードになると、確変手段（特別図柄の当否判定において、大当り判定がなされる確率を高く設定することを内容とする手段）と、開放延長手段（普通電動役物１７ｅの開放時間を長くしたり、開放回数が多く設定することを内容とする手段）とが作動する。そして、遊技機１の遊技モードが、確変モードから時短モードになると、確変手段は作動を停止し、時短手段（特別図柄や普通図柄の変動時間を短く設定することを内容とする手段）が作動を開始する。更に、遊技機１の遊技モードが、確変モードから通常遊技モードに戻されると、時短手段と、開放延長手段は作動を停止する。尚、本実施例では、確変手段の作動時に、確変手段は、「特別図柄の当否判定において、大当り判定がなされる確率を高く設定すること」に加えて、「特別図柄や普通図柄の変動時間を短く設定すること」も行う。つまり、遊技機１が実行する「確変モード」は、実質的に、時短モードをも実行するモードと言える。但し、本実施例では、確変モードが解除された後であって、時短手段と、開放延長手段とが作動している場合のみを「時短モード」と称することとする。
【０１１２】
普通図柄表示部５６は、１個のＬＥＤ５６ａを用いて構成され、前述の如く、「普通図柄作動ゲート（普通図柄作動口）１６に伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部５６は点滅表示を開始する。そして、「当否抽選に関する結果の表示」の実行時期が到来すると（換言すると、普通図柄の変動時間を終了すると）、普通図柄表示部５６を用いて、「当否抽選に関する結果」の確定表示がなされる。具体的には、図１０（ｃ）に示すように、ＬＥＤ５６ａを点灯状態とすることで、当該「当否判定に関する結果」が当り（普通図柄に関する当否抽選の結果が当り）であることが確定表示され、ＬＥＤ５６ａを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｅ（後述する。）が、所定時間（例えば、０．５秒）開放駆動される。
【０１１３】
本実施例では、このように、ＬＥＤ５６ａを点灯状態としたり、消灯状態とすることで、普通図柄の確定表示を示し、ＬＥＤ５６ａを点滅状態とすることで、普通図柄の変動表示を示する。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄の表示を行うこともできる。
【０１１４】
右下表示装置６０は、図２に示すように、可変入賞装置（大入賞装置）３１の右側方に配置されている。この右下表示装置６０は、図１１（ａ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１１５】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、図１３（ｂ）に示すように、特別図柄表示部６２は、「７個のＬＥＤ６２ａ〜６２ｇ」を順次、点灯させる。具体的には、略長円状に配設された「７個のＬＥＤ６２ａ〜６２ｇ」において、この略長円状を周回する方向に沿って、「７個のＬＥＤ６２ａ〜６２ｇ」が点灯する。
【０１１６】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、図１１（ｂ）に示すように、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【０１１７】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、図１２（ａ）に示すように、２個のＬＥＤ６３ａ、６３ｂは消灯状態とされる。そして、特別図柄表示部６２において大当り表示がなされる場合、何れかのＬＥＤ６３ａ、６３ｂを点灯させて、当該大当りの種類が表示される。具体的には、図１２（ｂ）及び（ｃ）に示すように、一方のＬＥＤ６３ａを点灯させ、他方のＬＥＤ６３ｂを消灯させて、「特別図柄表示部６２においてなれる大当り表示」が、「第１の大当り（スタンダード大当りともいい、具体的な内容は後述する。）」であることが示される。また、図１２（ｄ）に示すように、一方のＬＥＤ６３ａを消灯させ、他方のＬＥＤ６３ｂを点灯させて、「特別図柄表示部６２においてなれる大当り表示」が、「第２の大当り（チャンス大当りともいい、具体的な内容は後述する。」であることが示される。
【０１１８】
図９（ａ）に示すように、２個の一般入賞装置４０、４１は、左下表示装置５０を構成する取付板５１に一体化され、図１１（ａ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図２８参照）が配設されている。
【０１１９】
図２に示すように、風車１９は、中央装置２０の左側方に配置されている。また、多数の障害釘１４は、以上説明した各盤部品との位置バランスを考慮して、遊技領域１１にパチンコ遊技に適するべく、配設されている。尚、遊技盤１０の下方にはアウト口１８が設けられ、そのアウト口１８の下部にはバック球防止部材（図示を省略）が設けられている。そして、遊技領域１１に到達せず戻ってきた遊技球が再び発射位置に戻ることを防止している。一方、ファール球防止部材１５は、内レール１３の先端部に取り付けられている。
【０１２０】
尚、本遊技機１では、図１に示すように、上皿部５の前面における左端側の部位に操作スイッチＳＷ１、ＳＷ２を配設している。本実施例の遊技機１では、この操作スイッチＳＷ１、ＳＷ２を、大当り遊技の際に中央表示装置２７の表示画面２７ａで行われる演出表示（所謂、大当りラウンド演出表示）の態様を選択するために用いることとしている。なお、この操作スイッチＳＷ１、ＳＷ２を、大当り遊技以外の遊技上の演出に変化を与えるために用いることとしてもよい。例えば、中央表示装置２７の表示画面２７ａで行われる表示に変更を加えるために用いることとしてもよい。
【０１２１】
ｃ．特別図柄の表示態様
前述のように、本遊技機１では、当否判定の結果を示す確定表示と、この確定表示の前段階に行われる演出表示（変動表示）とを、２種類の図柄表示装置（右下表示装置６０及び中央表示装置２７）において、同時に実行する。ここで、右下表示装置６０（つまり、特別図柄表示部６２）において表示される特別図柄（ＬＥＤ６２ａ〜６２ｇの点灯と、消灯を用いて示される特別図柄）は、「本図柄」である。そして、本遊技機１において、遊技の基本進行を司る「主制御部２００Ａ（後述する。）」において、その表示態様（少なくとも「停止図柄」と、「変動時間」）が決定される。
【０１２２】
一方、中央表示装置２７の表示画面２７ａにおいて表示される特別図柄は「疑似図柄」であり、「主制御部２００Ａの制御の下で、遊技上の演出を制御する演出制御部２２０Ａ（後述する。）」によって、その変動態様と、停止図柄とが決定される。そして、通常、この「疑似図柄」の変動表示は、本図柄と同一の時間だけ実行され、この「疑似図柄」の停止図柄の「表示内容（大当り、外れ等）」は、本図柄の停止図柄「表示内容（大当り、外れ等）」と矛盾を生じないものとされる。
【０１２３】
次に、これらの特別図柄の表示態様を説明する。先ず、右下表示装置６０（つまり、特別図柄表示部６２）においては、当否判定の結果（判定結果図柄）の表示実行条件が成立する毎に、右下表示装置６０の「特別図柄表示部６２」を用いて、本図柄の変動表示（つまり、ＬＥＤ６２ｂ〜６２ｇを用いた循環表示）を開始する。この変動表示の期間が経過すると、本図柄の停止表示（確定表示）が実行される。そして、本図柄の停止表示（確定表示）の態様には、以下の態様がある。
【０１２４】
ｉ）スタンダード大当り（遊技機にとって、標準型の大当り）
本図柄の停止表示（確定表示）を、図１２（ｂ）に示すように、２個のＬＥＤを点灯させて行うか、図１２（ｃ）に示すように、３個のＬＥＤを点灯させて行う場合である。以下、この「スタンダード大当り」を「第１の大当り」と称することもある。また、このスタンダード大当りの契機となる停止図柄（確定図柄のことで、２個若しくは３個のＬＥＤが点灯させて表示される図柄）を、「第１の大当り図柄」、若しくは、「スタンダード大当り図柄」と称することがある。尚、「特別図柄表示部６２」に、スタンダード大当り図柄が表示される場合、大当り態様表示部６３を構成する「一方のＬＥＤ６３ａ」は点灯状態とされる。
【０１２５】
このスタンダード大当り（第１の大当り）を生ずると、遊技機の遊技状態は、第１の特別遊技状態（第１の大当り状態若しくはスタンダード大当りとも言う。）となり、第１の特別遊技（第１の大当り遊技若しくはスタンダード大当り遊技とも言う。）が実行される。そして、遊技機の遊技状態は、第１の特別遊技状態となると、大入賞装置３１の大入賞口３１ａが入賞容易な状態に開放され、多量の賞球を伴う利益が遊技者に付与される。
【０１２６】
但し、「スタンダード大当り」のうちで、図１２（ｃ）に示すように、３個のＬＥＤを点灯して行われるものは、当否判定の結果が「第１の大当り」であると共に、「確率変動を行うか否かの判定（以下、「確変判定」ということもある。）の結果」も、「当り」であることを示す。一方、「スタンダード大当り」のうちで、図１２（ｂ）に示すように、２個のＬＥＤを点灯して行われるものは、当否判定の結果が「第１の大当り」であるが、「確変判定」の結果は「外れ」であることを示す。以下、本明細書においては、当否判定の結果が、「第１の大当り（つまり、スタンダード大当り）で、しかも、確変判定の結果も当選である場合を「スタンダード確変当り（若しくは、スタンダード確率変動大当り）」と称し、当否判定の結果が、「第１の大当り（つまり、スタンダード大当り）」であるが、確変判定の結果が落選である場合を「スタンダード通常大当り」と称することがある。
【０１２７】
ｉｉ）チャンス大当り（遊技機にとって、非標準型の大当り）
本図柄の停止表示（確定表示）を、図１２（ｃ）に示すように、４個のＬＥＤを点灯させて行う場合である。以下、この「チャンス大当り」を「第２の大当り」と称することもある。また、このチャンス大当りの契機となる停止図柄（確定図柄のことで、４のＬＥＤが点灯させて表示される図柄）を、「第２の大当り図柄」、若しくは、「チャンス大当り図柄」と称することがある。
【０１２８】
このチャンス大当り（第２の大当り）を生ずると、遊技機の遊技状態は、第２の特別遊技状態（第２の大当り状態若しくはチャンス大当り状態とも言う。）となり、第２の特別遊技（第２の大当り遊技若しくはチャンス大当り遊技とも言う。）が実行される。そして、遊技機の遊技状態は、第２の特別遊技状態となると、大入賞装置３１の大入賞口３１ａが入賞困難な状態（第１の大当り遊技状態への移行時に比べて入賞困難な状態）に開放される。但し、チャンス大当り（第２の大当り）においては、「確変判定」の結果が当りであるため、遊技者は、確変状態の実行による利益を得ることができる。尚、「特別図柄表示部６２」に、チャンス大当り図柄が表示される場合、大当り態様表示部６３を構成する「他方のＬＥＤ６３ｂ」は点灯状態とされる。
【０１２９】
ｉｉ）外れ
図１２（ａ）に示すように、「特別図柄表示部６２」に、１個のＬＥＤが点灯すると、当否判定の結果が「外れ」であることを示す。つまり、当否判定の結果が、「スタンダード大当り（第１の大当り）」にも、「チャンス大当り（第２の大当り）」にも該当しないことを示す。この場合、「確変判定」の結果も外れとなる。
【０１３０】
尚、「確変当り（スタンダード確変当り、若しくは、チャンス確変当り）」を生じた場合には、当該「確変当り」に係る大当り遊技遊技状態の終了後に、当該遊技機１の遊技モードが、通常遊技モードから確率変動モードに変更される。そして、遊技機１のモードが、この「確率変動モード」に変更されると、この「確率変動モード」の解除条件が成立するまでの間、判定手段によって「大当り（スタンダード大当り、若しくは、チャンス大当り」の判定結果が下される確率が高確率に変動する。また、本実施では、この「確率変動モードの解除条件」は、大当りの判定結果（スタンダード大当り、若しくは、チャンス大当り）を得ないまま、特別図柄が所定回数、変動するか（つまり、外れ判定が所定回数、繰り返されるか）、あるいは、次回の大当り（スタンダード大当り、若しくは、チャンス大当り）を生ずることで成立する。
【０１３１】
中央表示装置２７においても、当否判定の結果（判定結果図柄）の表示実行条件が成立する毎に、その表示画面２７ａにおいて、疑似図柄の変動表示を開始する。そして、この変動表示の期間が経過すると、疑似図柄の停止表示（確定表示）が実行される。このとき、疑似図柄の停止表示（確定表示）も、前述の本図柄の停止図柄（確定図柄）と同様に、当否判定の結果の表示する。尚、本実施例では、当否判定の結果を、本図柄の停止図柄（確定図柄）と、疑似図柄の停止図柄（確定図柄）とで行うが、本実施例と異なり、「判定結果図柄」を、本図柄の停止図柄（確定図柄）のみで構成してもよい。
【０１３２】
中央表示装置２７の表示画面２７ａにおいては、疑似図柄の変動表示を開始する際に、３つの疑似図柄表示部２７ｂ〜２７ｄが出現し、各疑似図柄表示部２７ｂ〜２７ｄにおいて、「疑似図柄」を用いた変動表示（順次、変更される疑似図柄の表示）と、停止表示（停止した疑似図柄の表示）等がなされる。この疑似図柄の変動表示は、図９（ｂ）に示すように、「１」〜「９」までの算用数字をこの順で表示した後、再び、「１」〜「９」までの算用数字をこの順で表示することを繰り返す「循環表示」によって構成される。また、疑似図柄表示部２７ｂ〜２７ｄが変動表示を開始するときには、表示画面２７ａのその他の部位によって背景画面表示部２７ｈが表示される。そして、この背景画面表示部２７ｈには、背景を示す図柄（以下、背景図柄という。）を表示したり、この背景画面と共にキャラクタを示す図柄（以下、キャラクター図柄という。）を表示することができる。
【０１３３】
疑似図柄表示部２７ｂ〜２７ｄに、確定表示される確定図柄（判定結果図柄）には、図８（ａ）〜（ｄ）に示す態様がある。即ち、図８（ａ）の「外れを示す停止図柄（判定結果図柄）」と、図８（ｂ）及び図８（ｃ）に示すスタンダード大当りを示す停止図柄（判定結果図柄）」と、図８（ｄ）の「チャンス大当りを示す停止図柄（判定結果図柄）」と、がある。
【０１３４】
このうち、「スタンダード大当りを示す停止図柄」は、「１」〜「９」のうちの何れかの数字を３つ並べて構成される。このため、遊技者では、疑似図柄表示部２７ｂ〜２７ｄの表示のみによっては、「スタンダード大当り」が通常当りであるのか（スタンダード通常大当りであるのか）と、確変当りであるのか（スタンダード確率変動当りのか）を判別することができない。但し、遊技者は、第１の可動演出装置７０に注目することで、両者を判別することができる。つまり、図８（ｂ）に示すように、当該「スタンダード大当り」に係る特別遊技（大当り遊技）の実行中に、可動演出装置７０が開放状態とならない場合は、当該「スタンダード大当り」は、スタンダード通常大当りである。これに対して、図８（ｃ）に示すように、当該「スタンダード大当り」に係る特別遊技（大当り遊技）の実行中に、第１の可動演出装置７０が開放状態となる場合は、当該「スタンダード大当り」は、スタンダード確率変動当りである。
【０１３５】
また、「チャンス大当りを示す停止図柄」は、図８（ｄ）に示すように、３つの疑似図柄表示部２７ｂ〜２７ｄに、左から右に昇順となる数字を並べて（例えば、「１」、「２」、「３」）構成される。更に、「外れを示す停止図柄」は、図８（ａ）に示すように、３つの疑似図柄表示部２７ｂ〜２７ｄのうちの少なくとも２つに異なる数字を表示して構成される停止図柄のうちで、「チャンス大当りを示す停止図柄」を除いたものである。
【０１３６】
本実施例では、疑似図柄表示部２７ｂ〜２７ｄに確定表示される疑似図柄（以下、「疑似図柄による判定結果図柄」という。）の表示内容と、特別図柄表示部６２に確定表示される本図柄の表示内容（以下、「本図柄による判定結果図柄」という。）とが一致している。つまり、疑似図柄表示部２７ｂ〜２７ｄに確定表示される表示内容が、特別図柄表示部６２に確定表示される表示内容と矛盾することはない。但し、疑似図柄表示部２７ｂ〜２７ｄにおいては、その変動の開始から停止に至るまでの間に、特別図柄表示部６２よりも、派手な演出表示が実行される。つまり、疑似図柄表示部２７ｂ〜２７ｄでは、所謂「リーチ演出」や所謂「再抽選演出」を行う。
【０１３７】
尚、本実施例では、疑似図柄表示部２７ｂ〜２７ｄにおいて、「再抽選演出」を行ってもよい。つまり、疑似図柄表示部２７ｂ〜２７ｄにおいて、疑似図柄の変動表示の後に、一旦、「偽りの判定の結果の内容」を示す疑似図柄を仮停止させる（以下、この仮停止された疑似図柄を「仮確定疑似図柄」という。）。そして、疑似図柄表示部２７ｂ〜２７ｄにおいて、疑似図柄を再度、変動表示した後に、「真実の判定の結果の内容」と一致する内容の疑似図柄（確定疑似図柄）を確定表示してもよい。具体的には、特別図柄表示部６２と、大当り態様表示部６３とを用いて、「スタンダード確率変動当りを示す確定本図柄」が表示されるときに、疑似図柄表示部２７ｂ〜２７ｄにおいて、一旦、「スタンダード通常大当りを示す仮確定疑似図柄」を表示した後に、疑似図柄を再度、変動（再抽選表示ともいう。）させ、最終的に、「スタンダード確率変動当りを示す確定疑似図柄」を表示してもよい。
【０１３８】
また、疑似図柄表示部２７ｂ〜２７ｄにおいて、「再抽選演出」以外の態様の「再変動演出」を行ってもよい。例えば、特別図柄表示部６２と、大当り態様表示部６３とを用いて、「大当り（スタンダード大当り、チャンス大当りの何れでもよい。）を示す確定本図柄」が表示されるときに、疑似図柄表示部２７ｂ〜２７ｄにおいて、一旦、「外れを示す仮確定疑似図柄」を表示した後に、疑似図柄を再度、変動させ、最終的に、「大当りを示す確定疑似図柄」を表示してもよい。更に、再抽選やその他の再変動の実行の可否等は、主制御部２００Ａで抽選してもよいし、演出制御部２２０Ａによって抽選してもよい。
【０１３９】
尚、各請求項に係る発明において、特別図柄表示部６２の表示態様は、本実施例に例示するものに限定されない。例えば、特別図柄表示部６２も、中央表示装置２７と同様に、２つ又は３つ以上の特別図柄表示領域（識別情報表示領域）を表示可能な構成とする。そして、この特別図柄表示部６２においても、変動表示の途中に、リーチ演出を行ってもよい。また、本実施例では、本図柄を表示するための図柄表示装置（右下表示装置６０）と、疑似図柄を表示するための図柄表示装置（右下表示装置２７）とを別体の図柄表示装置としたが、本図柄及び疑似図柄を同一の図柄表示装置によって表示してもよい。
【０１４０】
ｄ．第１の可動演出装置７０の説明
第１の可動演出装置７０は、前述のように、ベース部材２２に設けられる配置部位２２ｊに配設される。つまり、図２及び図３に示すように、中央表示装置２７の表示画面２７ａの周囲を飾る装飾部材（上部装飾部材２３）の間に配設されている。この可動演出装置７０は、蓋付きの箱（千両箱である。）を模した可動物を用いて構成され、図１３に示すように、上方演出装置部７１と、下方演出装置部７２を主要な構成部材として備える。
【０１４１】
上方演出装置部７１は、蓋状部材７１ａと、ソレノイド７３（図２６を参照）と、照明部材７８と、を備えている。このソレノイド７３の動作は、後述する「演出制御部２２０Ａ」から送信される制御信号を用いて制御されている。また、蓋状部材７２は、略直方体の蓋形状に構成され、取付用空間部７１ｂを下方に開口する（下面で開口する）状態に備えている。そして、この蓋状部材７１ａの左端部が支持軸７１ｆを用いてベース部材２２に回転自在に支持され、右端部が「ソレノイド７３のプランジャーと一体とされた支持片」によって支持されている。このため、ソレノイド７３への通電と、通電の停止とを繰り返し、支持片を上下動させると、蓋状部材７１ａは支持軸７１ｆを支点に振動可能とされている。
【０１４２】
照明部材７８は、取付用空間部７１ｂに取り付けられ、ランプ基板７８ａと、４つのランプ装置（所謂、高輝度ＬＥＤで構成）７８ｂ〜７８ｅと、を備えている。つまり、上方演出装置部７１においては、ランプ基板７８ａが蓋状部材７１ａの上板７１ｅの下面部に装着されている。そして、ランプ基板７８ａに対して、４つのランプ装置７８ｂ〜７８ｅが垂下する状態に並設（装着）され、これらのランプ装置７８ｂ〜７８ｅは下方に向かって、光を照射可能となっている。また、４つのランプ装置７８ｂ〜７８ｅは、蓋状部材７１ａの幅方向（横方向）に沿って略等間隔に配置されている。尚、以下の説明においては、便宜上、「左端のランプ装置７８ｂと、右端から２個目のランプ装置７８ｄとで構成されるランプ装置群」を「第１組のランプ装置７８ｂ、７８ｄ」と称し、「右端から２個目のランプ装置７８ｃと、右端のランプ装置７８ｄとで構成される構成されるランプ装置群」を「第２組のランプ装置７８ｃ、７８ｅ」と称することがある。
【０１４３】
このランプ装置７８ｂ〜７８ｅの発光動作も、後述する「演出制御部２２０Ａ」から送信される制御信号を用いて制御されている。但し、演出制御部２２０Ａは、４つのランプ装置７８ｂ〜７８ｅを同時に発光させるのではなく、隣合うランプ装置７８ｂ〜７８ｅが交互に点灯するように制御する。つまり、（ａ）「第１組のランプ装置７８ｂ、７８ｄ」を点灯させ、「第２組のランプ装置７８ｃ、７８ｅ」を消灯させる状態（以下、「第１の発光状態」という。）と、（ｂ）「第１組のランプ装置７８ｂ、７８ｄ」を消灯させ、「第２組のランプ装置７８ｃ、７８ｅ」を点灯させることを点灯させる状態（以下、「第２の発光状態」という。）と、が交互に繰り返されるように制御される。
【０１４４】
下方演出装置部７２は、箱状部材７２ａと、箱状部材７２ａを動作させるための駆動源を構成するモータ７２ｍ（図２６を参照）と、モータ７２ｍの回転駆動力を上下方向への駆動力に変換しつつ、箱状部材７２ａに伝達するための駆動力変換伝達手段（図示を省略）とを備えている。このうち、箱状部材７２ａは蓋状部材７１ａの下方に配設され、箱状の外形を備えると共に収容空間部７２ｂを上方に開口させている。この収容空間部７２ｂは、深さの浅い（箱状部材７２ａの高さに比べて深さの浅い）、凹部状に構成されている。そして、収容空間部７２ｂには、被収容部材７２ｃが収容されている。
【０１４５】
この被収容部材７２ｃは、複数の「小判７２ｄ」を無作為に収容した状態を、あしらったものあり、表面部は「金色のメッキ層」によって構成されている。この被収容部材７２ｃは、個々の「小判７２ｄ」に凹部が形成され、個々の「小判７２ｄ」自体が、その表面部に凹凸部を有している。しかも、隣接する「小判７２ｄ」が重なり合い、段部を形成している。このため、被収容部材７２ｃの表面部は全体に渡って、大小、多数の凹凸部を備えることになる。つまり、被収容部材７２ｃは、表面部を「金色のメッキ層」によって構成すると共に、表面部の全域に、大小、多数の凹凸部を備える。そして、前述の「ランプ装置７８ｂ〜７８ｅ」は、蓋状部材７１ａにおいて、被収容部材７２ｃと対向可能な部位に配置されている。このため、被収容部材７２ｃは、ランプ装置７８ｂ〜７８ｅから照射される光を乱反射し易くなっている。
【０１４６】
図１４に示すように、箱状部材７２ａの前面部には凹部７２ｅが設けられ、この凹部７２ｅにはランプ基板７２ｆが配設されている。このランプ基板７２ｆには、所謂「フルカラーＬＥＤ（例えば、赤色、緑色及、青色の３種類のＬＥＤチップを供えるＬＥＤランプ）」を用いて構成されるランプ装置７２ｇが装着されている。また、箱状部材７２ａの前面部の全域には、「レンズを用いて構成される化粧板７２ｈ」が装着され、凹部７２ｅは、この「化粧板７２ｈ」によって封止されている。尚、この化粧板７２ｈには、装飾文字（千両箱）が施された透明なシールが装着されている。
【０１４７】
本実施例では、このランプ装置７２ｇの発光色を「演出制御部２２０Ａ」によって制御（ＰＷＭ制御）しつつ、予告（大当り予告、ガセ予告）演出を実行する。つまり、本実施例では、ランプ装置８２ｇの発光色を制御し（変化させ）、遊技者が視認する「化粧板７２ｈの色」を変化させることで、予告の信頼度を変化させている。
【０１４８】
箱状部材７２ａは、通常、図２に示す基本姿勢とされている。つまり、箱状部材７２ａの開口部（収容空間部７２ｂ）を上方に向け、この開口部（収容空間部７２ｂ）を、蓋状部材７１ａで封止した姿勢とされる。そして、箱状部材７２ａがこの基本姿勢にある場合、遊技機１の前方の遊技者は、収容空間部７２ｂの内部（被収容部材７２ｃ）を視認することができない。
【０１４９】
一方、モータ７２ｍを所定の方向に回転動作させると、モータ７２ｍの駆動力が駆動力変換伝達手段（図示を省略）を介して、箱状部材７２ａに伝達され、箱状部材７２ａの姿勢は前傾姿勢となる。これにより、蓋状部材７１ａによる箱状部材７２ａの開口部（収容空間部７２ｂ）の封止が解除されるため、遊技機１の前方の遊技者は、収容空間部７２ｂの内部（被収容部材７２ｃ）を視認可能となる。そして、この状態で、モータ７２ｍを逆方向に回転動作させると、箱状部材７２ａの姿勢は前傾姿勢から基本姿勢に戻される。尚、本実施例では、モータ７２ｍをステッピングモータを用いて構成している。また、このモータ７２ｍの回転動作と停止動作は、「演出制御部２２０Ａ」から送信される制御信号を用いて制御されている。
【０１５０】
ｅ．第２の可動演出装置８０の説明
第２の可動演出装置８０は、前述のように、ベース部材２２の「右側配置部」２２ｈに配置されている。この第２の可動演出装置８０は、図２及び図３に示すように、「金シャチ」をあしらった可動物を用いて構成されている。この第２の可動演出装置８０は、図１５及び図１６に示すように、胴体部８１と、下ヒレ部８２と、マユ部８３と、上ヒレ部８４と、モータ８５と、主軸体部８６と、第１の副軸体部８７ａと、第２の副軸体部８７ｂと、第３の副軸体部８７ｃと、第１の作動片部８８ａと、第２の作動片部８８ｂと、第３の作動片部８８ｃと、第１の補助軸体部９１と、第２の補助軸体部９２と、を備えている。
【０１５１】
胴体部８１は、「主可動部」の具体例を示すものであり、「金シャチ」の胴体をあしらた板状物を用いて構成されている。そして、この胴体部８１は、図１７及び図１８に示すように、「右側配置部」２２ｈの表面部の前方（経路案内部材の表面部の前方）に所定の間隔をおいて配置されている。また、図１８に示すように、胴体部８１の下方部と、中間部と、上方部には、表裏を貫通する状態の取付孔８１ａを備えている。そして、各取付孔８１ａには、後述する各副軸体部８７ａ、８７ｂ、８７ｃを回動可能な状態で支持するための軸受け部材８１ｂが装着されている。尚、図２に示すように、この胴体部８１のうちで、「金シャチの目玉」に相当する部位には、この「金シャチの目玉」をあしらった「ランプ装置（ＬＥＤ）８１ｃ」が装着されている。この「ランプ装置（ＬＥＤ）８１ｃ」の演出動作は、「演出制御部２２０Ａ」から送信される制御信号を用いて制御されている。
【０１５２】
下ヒレ部８２と、マユ部８３と、上ヒレ部８４は、何れも、「副可動部」の具体例を示すものであり、図１８に示すように、胴体部８１の表面部の前方に配置されている。このうち、下ヒレ部８２は、「金シャチ」の下ヒレをあしらた板状物を用いて構成され、マユ部８３は、「金シャチ」のマユをあしらた板状物を用いて構成されている。更に、上ヒレ部８４は、「金シャチ」の上ヒレをあしらた板状物を用いて構成されている。
【０１５３】
モータ８５は、駆動手段の具体例を構成するものであり、図１９に示すように、「右側配置部」２２ｈの裏面部の後方（経路案内部材の裏面部の後方）に配置されている。このモータ８５もステッピングモータを用いて構成され、その回転動作と停止動作は、「演出制御部２２０Ａ」から送信される制御信号を用いて制御されている。また、モータ８５の回転軸（駆動軸）８５ａに対しては、略円板状の回転体８５ｂが一体回転可能な状態に装着されている。
【０１５４】
この回転体８５ｂの前面部（モータ８５とは対向せず、右側配置部２２ｈの裏面部と対向する面部）には、伝達軸（クランクシャフト）８５ｃの一端部８５ｄが装着されている。この伝達軸８５ｃの一端部８５ｄは、回転体８５ｂの前面部において、モータ８５の回転軸（駆動軸）８５ａと偏心した位置に装着され、この一端部８５ｄは、回転体８５ｂを基準に相対回転することが許容された状態とされている。つまり、伝達軸８５ｃの一端部８５ｄは略円筒状の軸受け形状に構成されている。また、「回転体８５ｂの前面部においてモータ８５の回転軸（駆動軸）８５ａと偏心した位置」からは略円柱状の突起部８５ｈが突出している。そして、この一端部８５ｄに形成された貫通孔８５ｇ（略円筒の中空部分）に対して突起部８５ｈを摺動可能な状態で挿入しつつ、この一端部８５ｄは回転体８５ｂによって支持されている。尚、伝達軸（クランクシャフト）８５ｃは、「伝達手段」の具体例を構成する。
【０１５５】
主軸体部８６は、図１７（ａ）に示すように、右側配置部２２ｈの表裏面部に対して略直交する状態に配置されると共に、軸本体部８６ａと、摺動部材８６ｂとを備えている。この主軸体部８６は、その一端部８６ｃを主経路案内孔２２ｐを通じて、ベース部材２２の「右側配置部」２２ｈの裏面部の後方に配置し、その他の大部分を、ベース部材２２の「右側配置部」２２ｈの表面部側に配置し、更に、他端部８６ｄを、胴体部８１に一体化している。つまり、主軸体部８６の一端部８６ｃは駆動連結部の具体例を構成し、主軸体部８６の他端部８６ｄは可動連結部の具体例を構成している。
【０１５６】
摺動部材８６ｂは、２つの部材を略円板形状に組み合わせて構成されると共に、周面部に周回状に凹む凹部８６ｅを備えている。この摺動部材８６ｂの凹部８６ｅは、請求項１の発明の「主挿通部」と、請求項２及び３の発明の「主摺動部」の具体例を構成する部分である。つまり、摺動部材８６ｂの凹部８６ｅを、主経路案内孔２２ｐに摺動可能な状態で挿入し、摺動部材８６ｂにおいて、凹部８６ｅの前後に位置するフランジ部８６ｆ、８６ｆを、「ベース部材２２において主経路案内孔２２ｐの周辺に位置する部位」の前後に配置している。
【０１５７】
この摺動部材８６ｂは、軸心位置を貫通する貫通孔８６ｇに、軸本体部８６ａの一端部側を一体回転が可能な状態に嵌合しつつ、主経路案内孔２２ｐに、はめ込まれている。そして、この摺動部材８６ｂは、一対のフランジ部８６ｆ、８６ｆによって抜け止めを図りつつ、主経路案内孔２２ｐ内を摺動可能（主経路２２ｐｋに沿って摺動可能）とされている。
【０１５８】
主軸体部８６の一端部８６ｃは、摺動部材８６ｂの背後に（右側配置部２２ｈの裏面部から離間する方向に）突出している。そして、この状態の「主軸体部８６の一端部８６ｃ」に対して、伝達軸（クランクシャフト）８５ｃの他端部８５ｅが装着されている。この伝達軸８５ｃの他端部８５ｅと、主軸体部８６の一端部８６ｃとは、相対回転を行うことが許容された状態とされている。つまり、伝達軸８５ｃの他端部８５ｅも略円筒形状の略軸受け形状に構成されている。そして、この他端部８５ｅに形成された貫通孔８５ｊ（略円筒の中空部分）に対して、主軸体部８６の一端部８６ｃを摺動可能な状態で挿入しつつ、この他端部８５ｅは、主軸体部８６の一端部８６ｃによって支持されている。
【０１５９】
主軸体部８６の他端部８６ｄは、胴体部８１の裏面部の下端側の部位に対して、カシメ、接着、若しくは、溶接等を用いて一体化されている。このため、主軸体部８６と、胴体部８１とは一体で動作可能とされている。
【０１６０】
また、各補助軸体部９１、９２も、主軸体部８６と同様、図１７（ｂ）に示すように、右側配置部２２ｈの表裏面部に対して略直交する状態に配置される。また、主軸体部８６の軸本体部８６ａと同様な軸本体部９３ａと、主軸体部８６の摺動部材８６ｂと同様な摺動部材９３ｂとを備えている。この各補助軸体部９１、９２も、その一端部９３ｃを対応する補助路案内孔２２ｔ、２２ｕを通じて、ベース部材２２の「右側配置部」２２ｈの裏面部の後方に配置し、その他の大部分を、ベース部材２２の「右側配置部」２２ｈの表面部側に配置し、更に、他端部９３ｄを、胴体部８１に一体化している。
【０１６１】
この摺動部材９３ｂも、摺動部材８６ｂと同様な構成を備え、凹部８６ｅと同様な凹部９３ｅを、対応する補助路案内孔２２ｔ、２２ｕに摺動可能な状態で挿入し、摺動部材９３ｂにおいて、凹部９３ｅの前後に位置するフランジ部９３ｆ、９３ｆを、「ベース部材２２において、対応する補助路案内孔２２ｔ、２２ｕの周辺に位置する部位」の前後に配置している。
【０１６２】
この摺動部材９３ｂは、軸心位置を貫通する貫通孔９３ｇに、軸本体部９３ａの一端部側を一体回転が可能な状態に嵌合しつつ、対応する補助路案内孔２２ｔ、２２ｕにはめ込まれている。そして、この摺動部材９３ｂは、一対のフランジ部９３ｆ、９３ｆによって抜け止めを図りつつ、対応する補助路案内孔２２ｔ、２２ｕ内を摺動可能（補助路２２ｔｋ、２２ｕｋに沿って摺動可能）とされている。
【０１６３】
第１の補助軸体部９１の他端部９３ｄは、胴体部８１の中間側の部位に対して、カシメ、接着、若しくは、溶接等を用いて一体化されている。また、第２の補助軸体部９２の他端部９３ｄは、胴体部８１の上方側の部位に対して、カシメ、接着、若しくは、溶接等を用いて一体化されている。このため、両補助軸体部９１、９２と、胴体部８１とは一体で動作可能とされている。
【０１６４】
実施例では、伝達軸８５ｃをクランクシャフトとし、摺動部材８６ｂをスライダー（摺動子）とする「往復スライダークランク機構」を構成する。つまり、図２０及び図２１に示すように、モータ８５を所定方向に回転すると、摺動部材８６ｂが、主経路案内孔２２ｐ内をその主経路２２ｐｋに沿って摺動状態で往復動する。これにより、主軸体部８６が、主経路２２ｐｋに沿って往復動することとされている。この際、両補助軸体部９１、９２が、胴体部８１を介して主軸体部８６と一体化されているため、両補助軸体部９１、９２も、主軸体部８６に追従して往復動する。
【０１６５】
各副軸体部８７ａ、８７ｂ、８７ｃは、図１８に示すように、何れも、右側配置部２２ｈの表面部に配置された軸体８７ｄを用いて構成されている。この軸体８７ｄの軸心の延長線は、右側配置部２２ｈと略直交するものとされている。そして、軸体８７ｄの一端部８７ｅを、右側配置部２２ｈの表面部側に近接させ、軸体８７ｄの他端部８７ｆを、対応する副可動部（下ヒレ部８２、マユ部８３、上ヒレ部８４）に一体化し、更に、軸体８７ｄの他端部８７ｆ寄りが胴体部８１の軸受け部材８１ｂによって支持された状態で、配置されている。
【０１６６】
最下部に位置する「第１の副軸体部８７ａ」の他端部８７ｆは、下ヒレ部８２の裏面部に対して、カシメ、接着、若しくは、溶接等を用いて一体化されている。また、「第１の副軸体部８７ａ」の他端部８７ｆ寄りの部位が、胴体部８１に装着された軸受け部材８１ｂのうちで、最下部に位置するものに回転自在に支持されている。このため、下ヒレ部８２及び「第１の副軸体部８７ａ」は、胴体部８１と共に動作可能とされつつも、胴体部８１に対して、相対回転可能とされている。
【０１６７】
上下方向中間部に位置する「第２の副軸体部８７ｂ」の他端部８７ｆは、マユ部８３の裏面部に対して、カシメ、接着、若しくは、溶接等を用いて一体化されている。また、「第２の副軸体部８７ｂ」の他端部８７ｆ寄りの部位が、胴体部８１に装着された軸受け部材８１ｂのうちで、上下方向中間部に位置するものに回転自在に支持されている。このため、マユ部８３及び「第２の副軸体部８７ｂ」は、胴体部８１と共に動作可能とされつつも、胴体部８１に対して、相対回転可能とされている。
【０１６８】
最上部に位置する「第３の副軸体部８７ｃ」の他端部８７ｆは、上ヒレ部８４の裏面部に対して、カシメ、接着、若しくは、溶接等を用いて一体化されている。また、「第３の副軸体部８７ｃ」の他端部８７ｆ寄りの部位が、胴体部８１に装着された軸受け部材８１ｂのうちで、最上部に位置するものに回転自在に支持されている。このため、上ヒレ部８４及び「第３の副軸体部８７ｃ」は、胴体部８１と共に動作可能とされつつも、胴体部８１に対して、相対回転可能とされている。
【０１６９】
各作動片部８８ａ、８８ｂ、８８ｃは、図１８に示すように、右側配置部２２ｈの表面部と近接する位置に配置されると共に、対応する副軸体部８７ａ、８７ｂ、８７ｃの一端部８７ｅに対して一体動作可能な状態に連結されている。つまり、各作動片部８８ａ、８８ｂ、８８ｃは、対応する副軸体部８７ａ、８７ｂ、８７ｃの一端部８７ｅから、略片持ち梁状に突出する基体部８８ｇと、基体部８８ｇの自由端が突出する突出部８８ｈとを備えている。ここで、基体部８８ｇの軸心は、右側配置部２２ｈの表面部と略平行とされると共に、突出部８８ｈの軸心は、右側配置部２２ｈの表面部と略直交する状態とされる。そして、突出部８８ｈは、請求項１の発明の「副挿通部」の具体例を構成すると共に、請求項２及び３の発明の「副摺動部」の具体例を構成する。
【０１７０】
この突出部８８ｈの軸心は、対応する副軸体部８７ａ、８７ｂ、８７ｃの軸心と略平行とされるが、右側配置部２２ｈの表面部に沿って、「位置ずれ」を生じている。つまり、突出部８８ｈの軸心と、対応する副軸体部８７ａ、８７ｂ、８７ｃの軸心とは、基体部８８ｇの軸心長に相当する距離だけ、「位置ずれ」を生じている。
【０１７１】
このように構成される各作動片部８８ａ、８８ｂ、８８ｃの突出部８８ｈは、対応する副経路案内孔２２ｑ、２２ｒ、２２ｓに対して、摺動可能な状態に挿入されている。つまり、第１の副軸体部８７ａの一端部８７ｅに連結された「第１の作動片部８８ａ」においては、その突出部８８ｈが、第１の副経路案内孔２２ｑに挿入されている。このため、この突出部８８ｈは、第１の副経路２２ｑｋに沿って、第１の副経路案内孔２２ｑ内を摺動可能とされている。
【０１７２】
また、第２の副軸体部８７ｂの一端部８７ｅに連結された「第２の作動片部８８ｂ」においては、その突出部８８ｈが、第２の副経路案内孔２２ｒに挿入されている。このため、この突出部８８ｈは、第２の副経路２２ｒｋに沿って、第２の副経路案内孔２２ｒ内を摺動可能とされている。更に、第３の副軸体部８７ｃの一端部８７ｅに連結された「第３の作動片部８８ｃ」においては、その突出部８８ｈが、第３の副経路案内孔２２ｓに挿入されている。このため、この突出部８８ｈは、第３の副経路２２ｓｋに沿って、第３の副経路案内孔２２ｓ内を摺動可能とされている。
【０１７３】
以上の構成を備える「第２の可動演出装置８０」においては、図２０及び図２１に示すように、モータ８５を起動すると、主軸体部８６が主経路２２ｐｋに沿って往復動する。これに伴い、胴体部８１と、胴体部８１に装着された各軸受け部材８１ｂも往復動し、それに連動して、各軸受け部材８１ｂで支持された副軸体部８７ａ、８７ｂ、８７ｃも、往復動する。但し、本実施例では、図２２（ａ）及び（ｂ）に示すように、主経路２２ｐｋと副経路２２ｑｋ、２２ｒｋ、２２ｓｋとの間で、経路の傾斜度や曲率等が異なっており、主経路２２ｐｋと副経路２２ｑｋ、２２ｒｋ、２２ｓｋとの距離が、右側配置部２２ｈの上下方向等に変化する。
【０１７４】
このため、胴体部８１の移動に伴って、各作動片部８８ａ、８８ｂ、８８ｃが、その突出部８８ｈの軸心回りに回転し、各副軸体部８７ａ、８７ｂ、８７ｃ、ひいては、副可動部（下ヒレ部８２、マユ部８３、上ヒレ部８４）を、胴体部８１に対して相対回転させることができる。つまり、副可動部（下ヒレ部８２、マユ部８３、上ヒレ部８４）を、胴体部８１の移動に追従・移動させつつも、突出部８８ｈの軸心回りに回転させることができる。
【０１７５】
これにより、副可動部（下ヒレ部８２、マユ部８３、上ヒレ部８４）によって、独立性の高い演出動作（胴体部８１に対する独立性の高い演出動作）を実行することができる。つまり、モータ８５の回転軸８５ａが半回転し、主軸体部８６が主経路２２ｐｋをその上端部から下端部に移動すると、図２３に示すように、胴体部８１は、時計の回転方向に所定の角度だけ、回転する（実線Ｌ１の状態から破線Ｌ２の状態となる。）。このとき、副可動部（下ヒレ部８２、マユ部８３、上ヒレ部８４）も、胴体部８１は、時計の回転方向に回転するが、その際、副可動部（下ヒレ部８２、マユ部８３、上ヒレ部８４）は、胴体部８１とは独立した回転動作を行う。例えば、下ヒレ部８２、マユ部８３、上ヒレ部８４の回転量は、胴体部８１の回転量と異なったものとなる。
【０１７６】
ｆ．遊技機１の裏面構造
次に、本実施例の遊技機１の裏面構造について図２４を参照して説明する。つまり、遊技機１の裏面構造は、大きな裏機構盤１０２の上に各種装置が搭載された構造となっており、裏機構盤１０２は、一対のヒンジ１０３によって中枠３に開閉可能に軸支されている。
【０１７７】
裏機構盤１０２には、遊技球が蓄えられる賞球タンク１０５と、賞球の払出を行う賞球払出装置１０９と、中央表示装置（液晶表示装置）２７が格納された蓋付きの裏ケースと、主制御部２００Ａを構成する主制御基板２００が格納された主制御基板ケース１１２と、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１７８】
賞球タンク１０５には底部にタンクスイッチが設けられており、球切れを検出することができる。また、賞球タンク１０５と賞球払出装置１０９とは、タンクレール１０６によって接続されている。更に、図２７において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図２７は、図示が煩雑となることを避けるために、振り分け部の表示は省略されている。
【０１７９】
主制御基板ケース１１２、中継端子板１９０や、払出制御基板ケース１１８等の各種基板類は、裏機構盤１０２に回動自在に懸架された図示しない金属板に、着脱自在に装着されている。
【０１８０】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ（図示を省略）を接続してもよい。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には、下皿部用球通路部材１２６が設けられている。
【０１８１】
（２）制御回路の構成
次に、図２５〜図２７を用いて本実施例の遊技機１の制御回路の構成について説明する。本遊技機１の制御回路は、主制御部２００Ａと、複数の副制御部（２２０Ａ、２２２Ａ、２４０Ａ、２６０Ａ）とを含んで構成されている。つまり、主制御基板２００を用いて構成されると共に遊技の基本的な進行や大当りに関わる当否についての制御を司る主制御部２００Ａと、複数の副制御部（２２０Ａ、２２２Ａ、２４０Ａ、２６０Ａ）とを備えている。
【０１８２】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）演出表示制御基板２２２を用いて構成されると共に中央表示装置２７における演出用図柄（疑似図柄や背景図柄など）の表示制御を司る演出表示制御部２２２Ａと、（ｃ）払出制御基板２４０を用いて構成されると共に貸球や賞球を払い出す動作の制御を司る払出制御部２４０Ａと、（ｄ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２２２Ａ、２６０Ａ）とが存在する。
【０１８３】
これらの制御部（２００Ａ、２２０Ａ、２２２Ａ、２４０Ａ、２６０Ａ）を構成する制御基板（２００、２２０、２２２、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２５〜図２７中の矢印の向きは、データあるいは信号を入出力する方向を表している。また、図２５においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ，ＲＯＭなどについては図示を省略している。
【０１８４】
主制御部２００Ａ（主制御基板２００）は、普通図柄作動ゲート通過検出スイッチ１６ｓ、始動入賞検出スイッチ１７ｓ、入賞球検出スイッチ３１ｓ、４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイド３１ｃ、左下表示装置５０、右下表示装置６０に信号を出力することにより、これらの動作を直接制御している。
【０１８５】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示制御基板２２２やスピーカーＳＰを駆動するアンプ基板２２４が接続されている。
【０１８６】
演出制御部２２０Ａ（演出制御基板２２０）は、（ｉ）装飾用の各種ＬＥＤ４ｂ〜ｆ、（ｉｉ）第１の可動演出装置７０を構成するソレノイド７３、ランプ装置７８ｂ〜７８ｆ、モータ７２ｍ、ランプ装置７３ｇ、及び、（ｉｉｉ）第２の可動演出装置８０を構成するモータ８５、ランプ装置８１ｃ、を駆動する装飾駆動基板２２６に駆動信号を出力することにより、遊技の演出を行う。尚、操作スイッチＳＷ１、ＳＷ２からの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１８７】
払出制御部２４０Ａ（払出制御基板２４０）は、所謂、貸球や賞球の払い出しに関する各種の制御を司っている。例えば、遊技者が上皿部５に設けられた球貸スイッチ５ｅや返却スイッチ５ｆを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１８８】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１８９】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１９０】
下皿部６に設けられた下皿満タンスイッチ６ｓからの信号も払出制御部２４０Ａ（払出制御基板２４０）に入力されている。このため、下皿部６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。加えて、前面枠４が開放状態となっていることを検出する前面枠スイッチ４ｓからの信号も、払出制御部２４０Ａ（払出制御基板２４０）に入力されている。このため、何らかの理由で前面枠４が明けられた場合には、賞球の払い出し、或いは、遊技球の球貸し等の動作を中止することが可能となっている。また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１９１】
次に、演出制御部２２０Ａ（演出制御基板２２０）に対する信号或いはコマンドの入出力関係について説明する。前述のように、演出制御部２２０Ａ（演出制御基板２２０）には、演出表示制御基板２２２と、アンプ基板２２４、装飾駆動基板２２６、演出ボタン基板２２８などの各種基板が接続されている。
【０１９２】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰで出力する効果音、更には、（ｃ）各種ＬＥＤやランプ類４ｂ〜４ｆの点灯若しくは点滅の具体的な態様を決定する。次いで、中央表示装置２７の駆動信号（各種の図柄表示コマンド）を演出表示制御部２２２Ａ（演出表示制御基板２２２）に出力して、演出用図柄の変動停止表示を行う。このとき、表示されるキャラクタ図柄や背景図柄などの一部データについては、中央表示装置（液晶表示装置）２７、或いは、演出表示制御基板２２２に内蔵された演出表示ＲＯＭ２７ｒに格納されているデータを使用する。
【０１９３】
また、疑似図柄の変動停止表示に合わせて、音声信号をアンプ基板２２４に出力することによって、スピーカＳＰから効果音を出力する。加えて、装飾駆動基板２２６に信号を供給し、装飾駆動基板２２６から、各種ＬＥＤ、ランプ類４ｂ〜４ｆ、ソレノイド７３、ランプ装置７８ｂ〜７８ｆ、モータ８３、ランプ装置８２ｇの駆動信号を出力することによって、各種ＬＥＤやランプ類の点灯・点滅動作等を制御する。更に、上皿部５の前面側に設けられた操作スイッチＳＷ１，ＳＷ２を遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１９４】
（３）特別図柄表示ゲームの概要
本遊技機においては、始動入賞を生じ、当否判定の結果に関する「表示実行条件（判定結果図柄の表示実行条件）」が成立すると、図２８〜３１に示すように、右下表示装置６０の特別図柄表示部６２ａ〜６２ｇで点灯表示を開始すると共に、中央表示装置（液晶表示装置）２７の疑似図柄表示部２７ｂ〜２７ｄにおいて、疑似図柄の変動表示（つまり、演出表示）を開始する。そして、所定の変動時間を経過した後、特別図柄表示部６２ａ〜６２ｇと、疑似図柄表示部２７ｂ〜２７ｄとの双方において、特別図柄の停止図柄（つまり、判定結果図柄）が確定表示される。以下、この特別図柄表示ゲームにおいて、特別図柄の停止図柄の種類毎（当否判定の結果毎）に異なる点を説明する。
【０１９５】
ａ．外れの場合
図２８（ａ）及び（ｂ）に示すように、特別図柄の停止図柄によって、当否判定の結果が「外れである」旨の表示がなされると（当否判定の結果が外れである旨の判定結果図柄が表示されると）、この時点で、「一回の始動入賞に起因して開始された一回の特別図柄表示ゲーム」を終了する。
【０１９６】
ここで、図２８（ａ）では、「リーチ演出を伴わない外れ表示（所謂「通常外れ」）を示し、図２８（ｂ）では、「リーチ演出を伴う表示（所謂「外れリーチ」）」を示している。また、「外れリーチ」に係る特別図柄表示ゲームの実行中において、「リーチ予告」を行う場合、リーチ表示の実行前に蓋状部材７１ａを振動させる。そして、リーチ表示が実行されると、モータ８５が起動して、第２の可動演出装置８０が動作を開始する。
【０１９７】
つまり、胴体部８１が、揺動動作（所定の角度だけ、時計回りの方向に回転した後、反半時計回りの方向に同一の角度だけ、回転することを繰り返して構成される揺動動作）が実行される。この際、副可動部（下ヒレ部８２、マユ部８３、上ヒレ部８４）も、胴体部８１の動作に追従しつつも、独立性の高い演出動作（胴体部８１に対する独立性の高い演出動作）を実行する。このとき、遊技者は、第２の可動演出装置８０の演出動作を目視することで、「大当り」の発生を期待する（つまり、リーチ表示が、大当りの前提となるリーチ表示であることを期待する。）尚、「偽りの大当り予告（所謂、「ガセ予告」）を実行する場合、リーチ表示の後に、ランプ装置７２ｇを点灯し、箱状部材７２ａ前面部の化粧板７２ｈに描かれた文字（千両箱なる文字）を際だたせる。
【０１９８】
そして、外れ表示を行うと同時に、モータ８５を停止して、第２の可動演出装置８０が動作を終了する。このとき、「金シャチの目玉」をあしらった「ランプ装置（ＬＥＤ）８１ｃ」は、消灯状態に維持される。
【０１９９】
ｂ．スタンダード通常大当りの場合
特別図柄の停止図柄によって、当否判定の結果が「スタンダード通常大当り」である旨を確定表示する場合（当否判定の結果が、スタンダード通常大当りである旨の判定結果図柄が表示され場合）には、図２９に示すように、特別図柄の変動途中に「リーチ表示」が行われる。但し、「リーチ予告」を行う場合、リーチ表示の実行前に蓋状部材７１ａを振動させる。
【０２００】
そして、リーチ表示が実行されると、モータ８５が起動して、第２の可動演出装置８０が動作を開始する。そして、特別図柄の変動時間を経過した後に、「大当り表示」と、「大当り報知」とが行われる。このとき、モータ８５を停止して、第２の可動演出装置８０が動作を終了する。
【０２０１】
ここで、「大当り表示」は、特別図柄表示部６２ａ〜６２ｇにおいて、２個のランプ装置を点灯すると共に、３つの疑似図柄表示部２７ｂ〜２７ｄにおいて、「ゾロ目の数字」を停止表示して行われる。また、「大当り報知」は、第１の可動演出装置７０と、 第２の可動演出装置８０とで実行される。つまり、第１の可動演出装置７０においては、箱状部材７２の姿勢を、基本姿勢から前傾姿勢に移行させると同時に、「第１組のランプ装置７８ｂ、７８ｄ」と、「第２組のランプ装置７８ｃ、７８ｅ」とを交互に点灯させて行われる。また、第２の可動演出装置８においては、「金シャチの目玉」をあしらった「ランプ装置（ＬＥＤ）８１ｃ」を、暫し、点灯状態に変化させて行われる。
【０２０２】
尚、この「スタンダード通常大当り」に係る特別図柄表示ゲームの実行中において、「大当り予告（所謂、「真実の予告」）を実行する場合、リーチ表示の後に、ランプ装置７２ｇを点灯し、箱状部材７２ａ前面部の化粧板７２ｈに描かれた文字（千両箱なる文字）を際だたせる。
【０２０３】
この「スタンダード通常大当り」に係る特別図柄表示ゲームにおいて、「大当り表示」がなされると、「第１の大当りに移行するための移行表示」等を実行した後に、遊技機１の遊技状態が、第１の大当り状態に移行する。そして、この第１の大当り状態に移行すると、開閉板３１ｂ（開閉部材）に、「第１の単位駆動」が施される。この「第１の単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３０秒から選択される時間）維持した後、この開閉板３１ｂ（開閉部材）の姿勢を、閉鎖姿勢に戻すこと、で構成される「開閉板３１ｂ（開閉部材）の開閉動作）」によって構成される。
【０２０４】
この「第１の単位駆動」が、所定のインターバル時間（以下、「第１のインターバル時間」という。）を挟みつつ、計１５回実行されると、遊技機１の遊技状態は、第１の大当り遊技状態から通常遊技状態に戻される。これにより、「一回の始動入賞に起因して開始された一回の特別図柄表示ゲーム」を終了する。そして、この「スタンダード通常大当りに起因する第１の大当り遊技状態」の終了後においては、遊技機１の遊技モードが、通常遊技モードとされる。
【０２０５】
この「スタンダード通常大当り」に係る特別図柄表示ゲームにおいては、箱状部材７２ａの姿勢は、終始、基本姿勢に保たれる。そして、遊技者は、このように、箱状部材７２ａの姿勢が、終始、基本姿勢に保たれたことを確認することによっても、当該「特別図柄表示ゲーム」に係る「大当り」が、「通常当り（確率変動を生じさせない当り）」であったことを確認できる。
【０２０６】
ｃ．スタンダード確率変動当りの場合
特別図柄の停止図柄によって、当否判定の結果が「スタンダード確率変動当り」である旨を確定表示する場合（当否判定の結果が、スタンダード確率変動当りである旨の判定結果図柄が表示され場合）にも、図３０に示すように、特別図柄の変動途中に「リーチ表示」が行われる。但し、「リーチ予告」を行う場合、リーチ表示の実行前に蓋状部材７１ａを振動させる。
【０２０７】
そして、リーチ表示が実行されると、モータ８５が起動して、第２の可動演出装置８０が動作を開始する。そして、特別図柄の変動時間を経過した後に、「大当り表示」と、「大当り報知」とが行われる。このとき、モータ８５を停止して、第２の可動演出装置８０が動作を終了する。
【０２０８】
この「大当り表示」は、特別図柄表示部６２ａ〜６２ｇにおいて、３個のランプ装置を点灯すると共に、３つの疑似図柄表示部２７ｂ〜２７ｄにおいて、「ゾロ目の数字」を停止表示して行われる。また、このときの「大当り報知」も、前述のスタンダード通常大当りの場合と同様の態様で行われる。尚、この「スタンダード確変当り」に係る特別図柄表示ゲームの実行中において、「大当り予告（所謂、「真実の予告」）を実行する場合も、スタンダード通常大当りの場合と同様の態様で行われる。
【０２０９】
この「スタンダード確変当り」に係る特別図柄表示ゲームにおいて、「大当り表示」がなされると、「第１の大当りに移行するための移行表示」等を実行した後に、遊技機１の遊技状態が、第１の大当り状態に移行する。そして、この第１の大当り状態においては、「第１の単位駆動」が、「第１のインターバル時間」を挟みつつ、計１４回実行されると、箱状部材８２の姿勢は、基本姿勢から前傾姿勢に移行する。同時に、「第１組のランプ装置７８ｂ、７８ｄ」と、「第２組のランプ装置７８ｃ、７８ｅ」とが交互に点灯する。このため、遊技者は、箱状部材７２ａの内部の収容部材７２ｄが乱反射すること確認することができる。そして、もう一度（第１５回目）の「第１の単位駆動」が、「第１のインターバル時間」を挟みつつ、実行されると、箱状部材７２ａの姿勢を前傾姿勢から基本姿勢に戻し、ランプ装置７８ｂ〜７８ｅの駆動を停止した後、遊技機１の遊技状態は、第１の大当り遊技状態から通常遊技状態に戻される。
【０２１０】
これにより、「一回の始動入賞に起因して開始された一回の特別図柄表示ゲーム」を終了する。そして、この「スタンダード確率変動当りに起因する第１の大当り遊技状態」の終了後においては、遊技機１の遊技モードが、確率変動モードとされる。つまり、この「スタンダード確変当り」に係る特別図柄表示ゲームにおいては、大当り遊技の実行中（後述の如く、条件装置を作動させ、開閉板３１ｂの姿勢を、閉鎖姿勢から開放姿勢に移行させ、再び、閉鎖姿勢に戻しつつ行われる遊技の実行中）に、箱状部材７２ａの姿勢が基本姿勢から前傾姿勢に移行すると共に、ランプ装置７８ｂ〜７８ｅを用いた発光演出が実行される。そして、遊技者は、この箱状部材７２ａの姿勢変更と、発光演出と、これらによって生ずる乱反射によっても、当該「特別図柄表示ゲーム」に係る「大当り」が、「確変当り（確率変動を生じさせる当り）」であったことを確認できる。
【０２１１】
ｃ．チャンス大当りの場合
特別図柄の停止図柄によって、当否判定の結果が「チャンス大当り」である旨を確定表示する場合（当否判定の結果が、チャンス大当りである旨の判定結果図柄が表示され場合）には、図３１に示すように、「リーチ表示」を行った後、「大当り表示（チャンス大当り図柄を用いた大当り表示）」が行われる。この「大当り表示」は、特別図柄表示部６２ａ〜６２ｇにおいて、４個のランプ装置を点灯すると共に、３つの疑似図柄表示部２７ｂ〜２７ｄにおいて、「左から右に昇順となる数字」を停止表示して行われる。
【０２１２】
この「大当り表示」がなされると、遊技機１の遊技状態が、第２の大当り状態に移行する。そして、この第２の大当り状態に移行すると、開閉板３１ｂ（開閉部材）に、「第２の単位駆動」が施される。この「第２の単位駆動」は、開閉板３１ｂ（開閉部材）の姿勢を、「閉鎖姿勢」から、「開放姿勢」に移行させ、この開放姿勢を、「第１の時間よりも短い第２の時間（例えば、０．１秒〜０．３秒から選択される時間）」維持した後、この開閉板３１ｂ（開閉部材）の姿勢を、閉鎖姿勢に戻すこと、で構成される「開閉板３１ｂ（開閉部材）の開閉動作）」によって構成される。
【０２１３】
この「第２の単位駆動」のうちで、第２回目のもの（第２回目の第２の単位駆動）の実行中に、箱状部材７２ａの姿勢は、基本姿勢から前傾姿勢に移行する。同時に、「第１組のランプ装置７８ｂ、７８ｄ」と、「第２組のランプ装置７８ｃ、７８ｅ」とが交互に点灯する。このため、遊技者は、箱状部材７２ａの動作と、箱状部材７２ａの内部の収容部材７２ｄが乱反射すること確認し、チャンス大当りを生じたことを実感できる。この後、箱状部材７２ａの姿勢を前傾姿勢から基本姿勢に戻し、ランプ装置７８ｂ〜７８ｅの駆動を停止した後、遊技機１の遊技状態は、第２の大当り遊技状態から通常遊技状態に戻される。
【０２１４】
これにより、「一回の始動入賞に起因して開始された一回の特別図柄表示ゲーム」を終了する。そして、この「チャンス大当りに起因する第２の大当り遊技状態」の終了後においては、遊技機１の遊技モードが、確率変動モードとされる。つまり、この「チャンス大当り」に係る特別図柄表示ゲームにおいても、大当り遊技の実行中に、箱状部材８２の姿勢が基本姿勢から前傾姿勢に移行すると共に、ランプ装置７８ｂ〜７８ｅを用いた発光演出が実行される。そして、遊技者は、この箱状部材７２ａの姿勢変更と、発光演出と、これらによって生ずる乱反射によっても、当該「特別図柄表示ゲーム」に係る「大当り」が、「確変当り（確率変動を生じさせる当り）」であったことを確認できる。
【０２１５】
尚、本実施例では、個々の第２の単位駆動のために費やされる時間（第１の時間）は、個々の第１の単位駆動のために費やされる時間（第１の時間）よりも短く設定されている。しかも、「第２の大当り遊技状態の間に実行される第２の単位駆動の回数」は、「第１の大当り遊技状態の間に実行される第１の単位駆動の回数」よりも少なく設定されている。このため、「第２の大当り遊技状態」の実行中において可変入賞装置３１へ遊技球が入賞する確率（前述の「第２の確率」）は、「第１の大当り遊技状態」の実行中において可変入賞装置３１へ遊技球が入賞する確率（前述の「第１の確率」）に比べて低くされている。そして、本実施例では、第２の時間が「ごく短時間（０．１秒〜０．３秒から選択される時間）」に設定されると共に、「第２の単位駆動」の「繰り返し実行回数」が最小回数（２回）に設定されている。このため、「第２の確率」は特に低くされ、遊技球の入賞は、ごく希にしか生じない。
【０２１６】
（４）実施例の効果
実施例の遊技機１では、作動片部（８８ａ、８８ｂ、８８ｃ）の作用で、副軸体部（８７ａ、８７ｂ、８７ｃ）、ひいては、副可動部（下ヒレ部８２、マユ部８３、上ヒレ部８４）の移動態様に変化が与えられ、副可動部（下ヒレ部８２、マユ部８３、上ヒレ部８４）によって独立性の高い演出動作を実行することができる。即ち、第２の可動演出装置８０に対して、簡素な構造の経路案内部材（ベース部材２２の右側配置部２２ｈ）を併存させ、この経路案内部材を用いて、副軸体部（８７ａ、８７ｂ、８７ｃ）の動作態様に変化を与える構成を採用することで、副可動部（下ヒレ部８２、マユ部８３、上ヒレ部８４）によって独立性の高い演出動作を実行可能とする。
【０２１７】
しかも、第２の可動演出装置８０における「駆動力の伝達機構」を、軸体部（主軸体部８６、副軸体部８７ａ、８７ｂ、８７ｃ）と、作動片部（８８ａ、８８ｂ、８８ｃ）とを備える簡素で、部品点数の少ない構成としている。換言すると、駆動源を複数としたり、駆動力の伝達機構をギアやカムを用いた複雑な機構とすることなく、複数の可動部（胴体部８１、下ヒレ部８２、マユ部８３、上ヒレ部８４）に独立性の高い動作を行わせることができる。
【０２１８】
従って、本実施例によると、この可動演出装置８０の製造（組み立て）が容易となり、この可動演出装置８０の製造コストの低廉化を図ることができる。また、このように、この可動演出装置８０を構成する「駆動力の伝達機構」を、軸体部（主軸体部８６、副軸体部８７ａ、８７ｂ、８７ｃ）と、作動片部（８８ａ、８８ｂ、８８ｃ）とを備える簡素な構成とするため、可動部（胴体部８１、下ヒレ部８２、マユ部８３、上ヒレ部８４）の動作の円滑性を確保することができる。しかも、ベース部材２２の裏面部側にモータ８５を配置するため、「可動演出装置８０においてベース部材２２の表面部側に位置する部分」のコンパクト化を図ることができる。
【０２１９】
また、本実施例では、中央表示装置２７（液晶表示装置）の表示画面２７ａの演出に、「金シャチ型」の構造物、つまり、第２の可動演出装置８０が連動する。そして、単一のモータ８５で、計４箇所の可動部（胴体部８１、下ヒレ部８２、マユ部８３、上ヒレ部８４）が動作する。これにより、遊技者は、個々の可動部（胴体部８１、下ヒレ部８２、マユ部８３、上ヒレ部８４）の動作範囲が狭くても、可動演出装置８０全体では、大きく動作しているような印象を受ける。更に、本実施例では、中央表示装置２７（液晶表示装置）の表示画面２７ａの約半分の大きさの構造物（第２の可動演出装置８０）を可動させることにより、遊技者に大当りを期待させ、遊技を持続させる効果を有する。
【０２２０】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。即ち、複数の実施例の特徴を兼ね備える変形例を例示することもできる。
【０２２１】
つまり、本実施例では、主経路案内手段２２ｐと、副経路案内手段２２ｑ、２２ｒ、２２ｓ）と、補助路案内孔２２ｔ、２２ｕを孔状に構成する態様例示した。但し、図３２（ａ）〜（ｃ）の第１の変形例のように、主経路案内手段２２ｐと、副経路案内手段２２ｑ、２２ｒ、２２ｓ）と、補助路案内孔２２ｔ、２２ｕとのうちの少なくとも何れかを、経路案内部材Ｋの表面部で開口する溝部を用いて構成してもよい。この場合、図３２（ａ）及び（ｂ）に示すように、経路案内部材Ｋの表面部に凹部Ｍを設け、この凹部Ｍによって溝部を形成してもよいし、経路案内部材Ｋの表面部に突出部Ｔを設け、この突出部Ｔの内側の部分によって溝部を形成してもよい。更に、主経路案内手段２２ｐ、副経路案内手段２２ｑ、２２ｒ、２２ｓ）、及び、補助路案内孔２２ｔ、２２ｕのうちの少なくとも何れかを、図３３（ａ）及び（ｂ）の第２の変形例のように、経路案内部材Ｋの表面部に形成した突条Ｎによって構成してもよい。この場合、突条Ｎの両端部Ｎ１、Ｎ２に屈曲部を設け、主摺動部や副摺動部の摺動範囲を規制してもよい。
【産業上の利用可能性】
【０２２２】
本発明は、遊技機を製造、販売等する分野において利用できる。
【図面の簡単な説明】
【０２２３】
【図１】本発明の実施例に係る遊技機を示す正面図である。
【図２】本発明の実施例に係る遊技機において、遊技盤を示す正面図である。
【図３】本発明の実施例に係る遊技機において、遊技盤を示す斜視図である。
【図４】本発明の実施例に係る遊技機において、盤部品を外した状態の遊技盤を示す正面図である。
【図５】本発明の実施例に係る遊技機において、遊技盤を構成するベース部材の正面図である。
【図６】本発明の実施例に係る遊技機において、遊技盤の縦断面図である。
【図７】（ａ）は、本発明の実施例において、中央表示装置の表示画面を示す概略的な正面図であり、（ｂ）は疑似図柄の変動態様を示す説明図である。
【図８】（ａ）〜（ｄ）は、本実施例に係る遊技機において、疑似図柄の停止図柄の態様を示す概略的な説明図である。
【図９】（ａ）は本発明の実施例において、左下表示装置の概略的な正面図であり、（ｂ）は左下表示装置の表示態様を示す説明図である。
【図１０】（ａ）〜（ｃ）は左下表示装置の表示態様を示す説明図である。
【図１１】（ａ）は本発明の実施例において、右下表示装置の概略的な正面図であり、（ｂ）は左下表示装置の表示態様を示す説明図である。
【図１２】（ａ）〜（ｄ）は右下表示装置の表示態様を示す説明図である。
【図１３】本発明の実施例において、第１の可動演出装置の縦断面図である。
【図１４】本発明の実施例において、第１の可動演出装置の一部縦断面図である。
【図１５】本発明の実施例において、第２の可動演出装置を説明するための概略的な斜視図である。
【図１６】本発明の実施例において、第２の可動演出装置を説明するための概略的な斜視図である。
【図１７】（ａ）は主軸体部等を説明するための概略的な縦断面図であり、（ｂ）は補助軸体部等を説明するための概略的な縦断面図である。
【図１８】副軸体部及び作動片部等を説明するための概略的な縦断面図である。
【図１９】本発明の実施例において、第２の可動演出装置を説明するための概略的な斜視図である。
【図２０】本発明の実施例において、第２の可動演出装置を説明するための概略的な背面図である。
【図２１】本発明の実施例において、第２の可動演出装置を説明するための概略的な背面図である。
【図２２】（ａ）及び（ｂ）は、主軸体部、副軸体部及び作動片部の機能を説明するための概略的な概略的な斜視図である。
【図２３】第２の可動演出装置の動作態様を説明するための概略的な斜視図である。
【図２４】本発明の実施例に係る遊技機を示す裏面図である。
【図２５】本発明の実施例に係る電子制御装置を示すブロック図である。
【図２６】本発明の実施例に係る電子制御装置を示すブロック図である。
【図２７】本発明の実施例に係る電子制御装置を示すブロック図である。
【図２８】本発明の実施例に係る遊技機によって実行される図柄表示ゲームを説明するための説明図である。
【図２９】本発明の実施例に係る遊技機によって実行される図柄表示ゲームを説明するための説明図である。
【図３０】本発明の実施例に係る遊技機によって実行される図柄表示ゲームを説明するための説明図である。
【図３１】本発明の実施例に係る遊技機によって実行される図柄表示ゲームを説明するための説明図である。
【図３２】（ａ）〜（ｃ）は第１の変形例を説明するための説明図である。
【図３３】（ａ）及び（ｂ）は第２の変形例を説明するための説明図である。
【符号の説明】
【０２２４】
１；遊技機（弾球遊技機）、
１Ａ；遊技機本体、
２２ｈ；ベース部材２２の右側配置部（経路案内部材）、
２２ｑ、２２ｒ、２２ｓ；副経路案内手段、
８０；第２の可動演出装置（可動演出装置）、
８１；胴体部（主可動部）、
８２；下ヒレ部（副可動部）、
８３；マユ部（副可動部）、
８４；上ヒレ部（副可動部）、
８６；主軸体部、
８７ａ、８７ｂ、８７ｃ；副軸体部、
８８ａ、８８ｂ、８８ｃ；作動片部。
【図１】
0004457356.tif 000002
【図２】
0004457356.tif 000003
【図３】
0004457356.tif 000004
【図４】
0004457356.tif 000005
【図５】
0004457356.tif 000006
【図６】
0004457356.tif 000007
【図７】
0004457356.tif 000008
【図８】
0004457356.tif 000009
【図９】
0004457356.tif 000010
【図１０】
0004457356.tif 000011
【図１１】
0004457356.tif 000012
【図１２】
0004457356.tif 000013
【図１３】
0004457356.tif 000014
【図１４】
0004457356.tif 000015
【図１５】
0004457356.tif 000016
【図１６】
0004457356.tif 000017
【図１７】
0004457356.tif 000018
【図１８】
0004457356.tif 000019
【図１９】
0004457356.tif 000020
【図２０】
0004457356.tif 000021
【図２１】
0004457356.tif 000022
【図２２】
0004457356.tif 000023
【図２３】
0004457356.tif 000024
【図２４】
0004457356.tif 000025
【図２５】
0004457356.tif 000026
【図２６】
0004457356.tif 000027
【図２７】
0004457356.tif 000028
【図２８】
0004457356.tif 000029
【図２９】
0004457356.tif 000030
【図３０】
0004457356.tif 000031
【図３１】
0004457356.tif 000032
【図３２】
0004457356.tif 000033
【図３３】
0004457356.tif 000034